(57)【要約】【課題】  関連のある複数のサービスをブーケでグループ化し、その関連を簡潔に識別する。【解決手段】    ARIB STD-B10では、ブーケに関する情報を定義するテーブルとして、ＢＡＴ（Bouquet Association Table）が規定されている。また、ブーケに関連する情報を記述する記述子として、サービスリスト記述子、ブーケ名記述子等が規定されている。これにさらに、ブーケ種別記述子を加える。このブーケ種別記述子には、例えば、隣接代替関係、系列局関係、連結送信関係、同一放送事業者関係、同一サービスエリア関係、サイマル放送関係等を記述し、ブーケの種別を特定する。【選択図】  図７
2011004433.tif 000002
【特許請求の範囲】
【請求項１】
ＭＰＥＧ−２Systemsに規定されたトランスポートストリームを放送信号として適用したデジタル放送送受信システムにおいて、
関連づけされた複数のサービス（プログラム）、トランスポートストリーム及び／又はネットワークをブーケとしてグループ化し、その関連づけの内容をブーケ種別として識別することを特徴とするデジタル放送送受信システム。
【請求項２】
上記ブーケとしてグループ化したサービス（プログラム）、トランスポートストリーム及び／又はネットワークを特定する情報、並びに、上記ブーケ種別を、上記トランスポートストリームに含めて送信することを特徴とする請求項１記載のデジタル放送送受信システム。
【請求項３】
トランスポートストリームに含められるＢＡＴ（Bouquet Association Table）に、上記ブーケによりグループ化されたサービス（プログラム）、トランスポートストリーム及び／又はネットワークを特定する情報、並びに、上記ブーケ種別を記述することを特徴とする請求項１記載のデジタル放送送受信システム。
【請求項４】
上記ブーケ種別を、記述子として記述して、トランスポートストリームに含めることを特徴とする請求項１記載のデジタル放送送受信システム。
【請求項５】
上記トランスポートストリームに、ブーケ種別を示すブーケ種別記述子を含めることを特徴とする請求項１記載のデジタル放送送受信システム。
【請求項６】
上記ブーケ種別記述子に、各ブーケの名前を示すブーケ名と、上記ブーケ種別を記述することを特徴とする請求項５記載のデジタル放送送受信システム。
【請求項７】
上記ブーケには、本システムに定められた各ブーケをユニークに識別するブーケＩＤを付与することを特徴とする請求項１記載のデジタル放送送受信システム。
【請求項８】
上記ブーケＩＤには、各ブーケをユニークに識別するブーケ識別情報を記述することを特徴とする請求項７記載のデジタル放送送受信システム。
【請求項９】
上記ブーケＩＤには、上記ブーケ種別を示すブーケ種別情報と、このブーケ種別内で各ブーケをユニークに識別するブーケ識別情報とを含めて記述することを特徴とする請求項７記載のデジタル放送送受信システム。
【請求項１０】
上記ブーケＩＤには、当該ブーケとしてグループ化されたサービス（プログラム）、トランスポートストリーム及びネットワークが放送される放送メディアを識別するメディア識別情報と、上記放送メディア内で各ブーケをユニークに識別するブーケ識別情報とを含めて記述することを特徴とする請求項７記載のデジタル放送送受信システム。
【請求項１１】
上記ブーケＩＤには、当該ブーケとしてグループ化されたサービス（プログラム）、トランスポートストリーム及びネットワークが放送される放送メディアを識別するメディア識別情報と、この放送メディア内で上記ブーケ種別をユニークに識別するブーケ種別情報と、このブーケ種別内で各ブーケをユニークに識別するブーケ識別情報とを含めて記述することを特徴とする請求項７記載のデジタル放送送受信システム。
【請求項１２】
ＭＰＥＧ−２Systemsに規定されたトランスポートストリームを放送信号として適用したデジタル放送送受信システムにおいて、
任意のサービスエリアから他のサービスエリアに移動した場合におけるサービスの代替関係として関連づけされた複数のサービス（プログラム）、トランスポートストリーム及び／又はネットワークを特定する情報を、上記トランスポートストリームに含めて送信することを特徴とするデジタル放送送受信システム。
【請求項１３】
トランスポートストリームに含められるＮＩＴ（Network Information Table）に、当該ＮＩＴが適用されるトランスポートストリームと代替関係として関連づけされたサービス（プログラム）、トランスポートストリーム及び／又はネットワークを記述することを特徴とする請求項１２記載のデジタル放送送受信システム。
【請求項１４】
トランスポートストリームに含められるＳＤＴ（Service Description Table）に、当該ＳＩＴが適用されるサービス（プログラム）と代替関係として関連づけされたサービス（プログラム）、トランスポートストリーム及び／又はネットワークを記述することを特徴とする請求項１２記載のデジタル放送送受信システム。
【請求項１５】
トランスポートストリームに含められるＥＩＴ（Event Information Table）に、当該ＥＩＴが適用されるイベントと代替関係として関連づけされたサービス（プログラム）、トランスポートストリーム及び／又はネットワークを記述することを特徴とする請求項１２記載のデジタル放送送受信システム。
【請求項１６】
ＭＰＥＧ−２Systemsに規定されたトランスポートストリームを放送信号として適用したデジタル放送送受信システムにおいて、
任意のサービスエリアから他のサービスエリアに移動した場合におけるサービスの代替関係として関連づけされた複数のサービス（プログラム）、トランスポートストリーム及び／又はネットワークを、ブーケとしてグループ化することを特徴とするデジタル放送送受信システム。
【請求項１７】
上記ブーケとしてグループ化したサービス（プログラム）、トランスポートストリーム及び／又はネットワークを特定する情報を、上記トランスポートストリームに含めて送信することを特徴とする請求項１６記載のデジタル放送送受信システム。
【請求項１８】
ブーケとしてグループ化されたサービス（プログラム）、トランスポートストリーム及び／又はネットワークの関連づけの内容を示すブーケ種別を、任意のサービスエリアから他のサービスエリアに移動した場合におけるサービスの代替関係として定義することを特徴とする請求項１６記載のデジタル放送送受信システム。
【請求項１９】
上記ブーケとしてグループ化したサービス（プログラム）、トランスポートストリーム及び／又はネットワークを特定する情報、並びに、代替関係と定義された上記ブーケ種別を、上記トランスポートストリームに含めて送信することを特徴とする請求項１８記載のデジタル放送送受信システム。
【請求項２０】
トランスポートストリームに含められるＢＡＴ（Bouquet Association Table）に、上記ブーケによりグループ化されたサービス（プログラム）、トランスポートストリーム及び／又はネットワークを特定する情報、並びに、代替関係と定義された上記ブーケ種別を記述することを特徴とする請求項１８記載のデジタル放送送受信システム。
【請求項２１】
代替関係と定義された上記ブーケ種別を、記述子として記述して、トランスポートストリームに含めることを特徴とする請求項１８記載のデジタル放送送受信システム。
【請求項２２】
上記トランスポートストリームに、代替関係と定義されたブーケ種別を示すブーケ種別記述子を含めることを特徴とする請求項１８記載のデジタル放送送受信システム。
【請求項２３】
上記ブーケ種別記述子に、各ブーケの名前を示すブーケ名と、上記ブーケ種別を記述することを特徴とする請求項２２記載のデジタル放送送受信システム。
【請求項２４】
上記ブーケには、本システムに定められた各ブーケをユニークに識別するブーケＩＤを付与することを特徴とする請求項１８記載のデジタル放送送受信システム。
【請求項２５】
上記ブーケＩＤには、各ブーケをユニークに識別するブーケ識別情報を記述することを特徴とする請求項２４記載のデジタル放送送受信システム。
【請求項２６】
上記ブーケＩＤには、上記ブーケ種別を示すブーケ種別情報と、このブーケ種別内で各ブーケをユニークに識別するブーケ識別情報とを含めて記述することを特徴とする請求項２４記載のデジタル放送送受信システム。
【請求項２７】
上記ブーケＩＤには、当該ブーケとしてグループ化されたサービス（プログラム）及びトランスポートストリームが放送される放送メディアを識別するメディア識別情報と、上記放送メディア内で各ブーケをユニークに識別するブーケ識別情報とを含めて記述することを特徴とする請求項２４記載のデジタル放送送受信システム。
【請求項２８】
上記ブーケＩＤには、当該ブーケとしてグループ化されたサービス（プログラム）及びトランスポートストリームが放送される放送メディアを識別するメディア識別情報と、この放送メディア内で上記ブーケ種別をユニークに識別するブーケ種別情報と、このブーケ種別内で各ブーケをユニークに識別するブーケ識別情報とを含めて記述することを特徴とする請求項２４記載のデジタル放送送受信システム。
【請求項２９】
ＭＰＥＧ−２Systemsに規定されたトランスポートストリームを放送信号として適用したデジタル放送送受信システムにおいて、
放送信号の提供者が系列ネットを構成する系列局関係にあるとして関連づけされた複数のサービス（プログラム）、トランスポートストリーム及び／又はネットワークを、ブーケとしてグループ化することを特徴とするデジタル放送送受信システム。
【請求項３０】
上記ブーケとしてグループ化したサービス（プログラム）、トランスポートストリーム及び／又はネットワークを特定する情報を、上記トランスポートストリームに含めて送信することを特徴とする請求項２９記載のデジタル放送送受信システム。
【請求項３１】
ブーケとしてグループ化されたサービス（プログラム）、トランスポートストリーム及び／又はネットワークの関連づけの内容を示すブーケ種別を、放送信号の提供者が系列ネットを構成する系列局関係として定義することを特徴とする請求項２９記載のデジタル放送送受信システム。
【請求項３２】
上記ブーケとしてグループ化したサービス（プログラム）、トランスポートストリーム及び／又はネットワークを特定する情報、並びに、系列局関係と定義された上記ブーケ種別を、上記トランスポートストリームに含めて送信することを特徴とする請求項３１記載のデジタル放送送受信システム。
【請求項３３】
トランスポートストリームに含められるＢＡＴ（Bouquet Association Table）に、上記ブーケによりグループ化されたサービス（プログラム）、トランスポートストリーム及び／又はネットワークを特定する情報、並びに、系列局関係と定義された上記ブーケ種別を記述することを特徴とする請求項３１記載のデジタル放送送受信システム。
【請求項３４】
系列局関係と定義された上記ブーケ種別を、記述子として記述して、トランスポートストリームに含めることを特徴とする請求項３１記載のデジタル放送送受信システム。
【請求項３５】
上記トランスポートストリームに、系列局関係と定義されたブーケ種別を示すブーケ種別記述子を含めることを特徴とする請求項３１記載のデジタル放送送受信システム。
【請求項３６】
上記ブーケ種別記述子に、各ブーケの名前を示すブーケ名と、上記ブーケ種別を記述することを特徴とする請求項３５記載のデジタル放送送受信システム。
【請求項３７】
上記ブーケには、本システムに定められた各ブーケをユニークに識別するブーケＩＤを付与することを特徴とする請求項３１記載のデジタル放送送受信システム。
【請求項３８】
上記ブーケＩＤには、各ブーケをユニークに識別するブーケ識別情報を記述することを特徴とする請求項３７記載のデジタル放送送受信システム。
【請求項３９】
上記ブーケＩＤには、上記ブーケ種別を示すブーケ種別情報と、このブーケ種別内で各ブーケをユニークに識別するブーケ識別情報とを含めて記述することを特徴とする請求項３７記載のデジタル放送送受信システム。
【請求項４０】
上記ブーケＩＤには、当該ブーケとしてグループ化されたサービス（プログラム）及びトランスポートストリームが放送される放送メディアを識別するメディア識別情報と、上記放送メディア内で各ブーケをユニークに識別するブーケ識別情報とを含めて記述することを特徴とする請求項３７記載のデジタル放送送受信システム。
【請求項４１】
上記ブーケＩＤには、当該ブーケとしてグループ化されたサービス（プログラム）及びトランスポートストリームが放送される放送メディアを識別するメディア識別情報と、この放送メディア内で上記ブーケ種別をユニークに識別するブーケ種別情報と、このブーケ種別内で各ブーケをユニークに識別するブーケ識別情報とを含めて記述することを特徴とする請求項３７記載のデジタル放送送受信システム。
【請求項４２】
ＭＰＥＧ−２Systemsに規定されたトランスポートストリームを放送信号として適用したデジタル放送送受信システムにおいて、
ＯＦＤＭ（Orthogonal Frequency Division Multiplex）方式における連結送信を行っている連結送信関係にあるとして関連づけされた複数のサービス（プログラム）、トランスポートストリーム及び／又はネットワークを、ブーケとしてグループ化することを特徴とするデジタル放送送受信システム。
【請求項４３】
上記ブーケとしてグループ化したサービス（プログラム）、トランスポートストリーム及び／又はネットワークを特定する情報を、上記トランスポートストリームに含めて送信することを特徴とする請求項４２記載のデジタル放送送受信システム。
【請求項４４】
ブーケとしてグループ化されたサービス（プログラム）、トランスポートストリーム及び／又はネットワークの関連づけの内容を示すブーケ種別を、ＯＦＤＭ方式における連結送信を行っている連結送信関係として定義することを特徴とする請求項４２記載ジタル放送送受信システム。
【請求項４５】
上記ブーケとしてグループ化したサービス（プログラム）、トランスポートストリーム及び／又はネットワークを特定する情報、並びに、連結送信関係と定義された上記ブーケ種別を、上記トランスポートストリームに含めて送信することを特徴とする請求項４４記載のデジタル放送送受信システム。
【請求項４６】
トランスポートストリームに含められるＢＡＴ（Bouquet Association Table）に、上記ブーケによりグループ化されたサービス（プログラム）、トランスポートストリーム及び／又はネットワークを特定する情報、並びに、連結送信関係と定義された上記ブーケ種別を記述することを特徴とする請求項４４記載のデジタル放送送受信システム。
【請求項４７】
連結送信関係と定義された上記ブーケ種別を、記述子として記述して、トランスポートストリームに含めることを特徴とする請求項４４記載のデジタル放送送受信システム。
【請求項４８】
上記トランスポートストリームに、連結送信関係と定義されたブーケ種別を示すブーケ種別記述子を含めることを特徴とする請求項４４記載のデジタル放送送受信システム。
【請求項４９】
上記ブーケ種別記述子に、各ブーケの名前を示すブーケ名と、上記ブーケ種別を記述することを特徴とする請求項４８記載のデジタル放送送受信システム。
【請求項５０】
上記ブーケには、本システムに定められた各ブーケをユニークに識別するブーケＩＤを付与することを特徴とする請求項４４記載のデジタル放送送受信システム。
【請求項５１】
上記ブーケＩＤには、各ブーケをユニークに識別するブーケ識別情報を記述することを特徴とする請求項５０記載のデジタル放送送受信システム。
【請求項５２】
上記ブーケＩＤには、上記ブーケ種別を示すブーケ種別情報と、このブーケ種別内で各ブーケをユニークに識別するブーケ識別情報とを含めて記述することを特徴とする請求項５０記載のデジタル放送送受信システム。
【請求項５３】
上記ブーケＩＤには、当該ブーケとしてグループ化されたサービス（プログラム）及びトランスポートストリームが放送される放送メディアを識別するメディア識別情報と、上記放送メディア内で各ブーケをユニークに識別するブーケ識別情報とを含めて記述することを特徴とする請求項５０記載のデジタル放送送受信システム。
【請求項５４】
上記ブーケＩＤには、当該ブーケとしてグループ化されたサービス（プログラム）及びトランスポートストリームが放送される放送メディアを識別するメディア識別情報と、この放送メディア内で上記ブーケ種別をユニークに識別するブーケ種別情報と、このブーケ種別内で各ブーケをユニークに識別するブーケ識別情報とを含めて記述することを特徴とする請求項５０記載のデジタル放送送受信システム。
【請求項５５】
ＭＰＥＧ−２Systemsに規定されたトランスポートストリームを放送信号として適用したデジタル放送送受信システムにおいて、
同一の放送を行っているサイマル放送関係にあるとして関連づけされた複数のサービス（プログラム）、トランスポートストリーム及び／又はネットワークを、ブーケとしてグループ化することを特徴とするデジタル放送送受信システム。
【請求項５６】
上記ブーケとしてグループ化したサービス（プログラム）、トランスポートストリーム及び／又はネットワークを特定する情報を、上記トランスポートストリームに含めて送信することを特徴とする請求項５５記載のデジタル放送送受信システム。
【請求項５７】
ブーケとしてグループ化されたサービス（プログラム）、トランスポートストリーム及び／又はネットワークの関連づけの内容を示すブーケ種別を、同一の放送を行っているとして定義することを特徴とする請求項５５記載のデジタル放送送受信システム。
【請求項５８】
上記ブーケとしてグループ化したサービス（プログラム）、トランスポートストリーム及び／又はネットワークを特定する情報、並びに、サイマル放送関係と定義された上記ブーケ種別を、上記トランスポートストリームに含めて送信することを特徴とする請求項５７記載のデジタル放送送受信システム。
【請求項５９】
トランスポートストリームに含められるＢＡＴ（Bouquet Association Table）に、上記ブーケによりグループ化されたサービス（プログラム）、トランスポートストリーム及び／又はネットワークを特定する情報、並びに、サイマル放送関係と定義された上記ブーケ種別を記述することを特徴とする請求項５７記載のデジタル放送送受信システム。
【請求項６０】
サイマル放送関係と定義された上記ブーケ種別を、記述子として記述して、トランスポートストリームに含めることを特徴とする請求項５７記載のデジタル放送送受信システム。
【請求項６１】
上記トランスポートストリームに、サイマル放送関係と定義されたブーケ種別を示すブーケ種別記述子を含めることを特徴とする請求項５７記載のデジタル放送送受信システム。
【請求項６２】
上記ブーケ種別記述子に、各ブーケの名前を示すブーケ名と、上記ブーケ種別を記述することを特徴とする請求項６１記載のデジタル放送送受信システム。
【請求項６３】
上記ブーケには、本システムに定められた各ブーケをユニークに識別するブーケＩＤを付与することを特徴とする請求項５７記載のデジタル放送送受信システム。
【請求項６４】
上記ブーケＩＤには、各ブーケをユニークに識別するブーケ識別情報を記述することを特徴とする請求項６３記載のデジタル放送送受信システム。
【請求項６５】
上記ブーケＩＤには、上記ブーケ種別を示すブーケ種別情報と、このブーケ種別内で各ブーケをユニークに識別するブーケ識別情報とを含めて記述することを特徴とする請求項６３記載のデジタル放送送受信システム。
【請求項６６】
上記ブーケＩＤには、当該ブーケとしてグループ化されたサービス（プログラム）及びトランスポートストリームが放送される放送メディアを識別するメディア識別情報と、上記放送メディア内で各ブーケをユニークに識別するブーケ識別情報とを含めて記述することを特徴とする請求項６３記載のデジタル放送送受信システム。
【請求項６７】
上記ブーケＩＤには、当該ブーケとしてグループ化されたサービス（プログラム）及びトランスポートストリームが放送される放送メディアを識別するメディア識別情報と、この放送メディア内で上記ブーケ種別をユニークに識別するブーケ種別情報と、このブーケ種別内で各ブーケをユニークに識別するブーケ識別情報とを含めて記述することを特徴とする請求項６３記載のデジタル放送送受信システム。
【請求項６８】
ＭＰＥＧ−２Systemsのトランスポートストリームを放送信号として適用したデジタル放送を受信するデジタル放送受信装置において、
関連づけされた複数のサービス（プログラム）、トランスポートストリーム及び／又はネットワークをブーケとしてグループ化し、その関連づけの内容をブーケ種別として識別された制御情報が含まれたトランスポートストリームを受信し、
上記制御情報に基づき、上記ブーケによりグループ化された複数のサービス（プログラム）、トランスポートストリーム及び／又はネットワークを、上記ブーケ種別毎に管理し、
管理している上記制御情報に基づき、受信するサービス（プログラム）、トランスポートストリーム又はネットワークを、上記ブーケ種別により示された関連づけの内容に応じて切り換えを行うことを特徴とするデジタル放送受信装置。
【請求項６９】
ＭＰＥＧ−２Systemsのトランスポートストリームを放送信号として適用したデジタル放送を受信するデジタル放送受信装置において、
任意のサービスエリアから他のサービスエリアに移動した場合におけるサービスの代替関係として関連づけされた複数のサービス（プログラム）、トランスポートストリーム及び／又はネットワークを示す制御情報が含まれたトランスポートストリームを受信し、
上記制御情報に基づき、受信している当該サービス（プログラム）と上記代替関係として関連づけられた複数のサービス（プログラム）、トランスポートストリーム及び／又はネットワークを管理し、
管理している上記制御情報に基づき、受信するサービス（プログラム）、トランスポートストリーム又はネットワークを、他のサービス（プログラム）、トランスポートストリーム又はネットワークに切り換えを行うことを特徴とするデジタル放送受信装置。
【請求項７０】
ＭＰＥＧ−２Systemsのトランスポートストリームを放送信号として適用したデジタル放送を受信するデジタル放送受信装置において、
任意のサービスエリアから他のサービスエリアに移動した場合におけるサービスの代替関係として関連づけされた複数のサービス（プログラム）、トランスポートストリーム及び／又はネットワークをブーケとしてグループ化し、そのブーケとしてグループ化された複数のサービス（プログラム）、トランスポートストリーム及び／又はネットワークを示す制御情報が含まれたトランスポートストリームを受信し、
上記制御情報に基づき、受信している当該サービス（プログラム）と上記代替関係として関連づけられた複数のサービス（プログラム）、トランスポートストリーム及び／又はネットワークを管理し、
管理している上記制御情報に基づき、受信するサービス（プログラム）、トランスポートストリーム又はネットワークを、他のサービス（プログラム）、トランスポートストリーム又はネットワークに切り換えを行うことを特徴とするデジタル放送受信装置。
【請求項７１】
ＭＰＥＧ−２Systemsのトランスポートストリームを放送信号として適用したデジタル放送を受信するデジタル放送受信装置において、
放送信号の提供者が系列ネットを構成する系列局関係として関連づけされた複数のサービス（プログラム）、トランスポートストリーム及び／又はネットワークをブーケとしてグループ化し、そのブーケとしてグループ化された複数のサービス（プログラム）、トランスポートストリーム及び／又はネットワークを示す制御情報が含まれたトランスポートストリームを受信し、
上記制御情報に基づき、受信している当該サービス（プログラム）と上記系列局関係として関連づけられた複数のサービス（プログラム）、トランスポートストリーム及び／又はネットワークを管理し、
管理している上記制御情報に基づき、受信するサービス（プログラム）、トランスポートストリーム又はネットワークを、他のサービス（プログラム）、トランスポートストリーム又はネットワークに切り換えを行うことを特徴とするデジタル放送受信装置。
【請求項７２】
ＭＰＥＧ−２Systemsのトランスポートストリームを放送信号として適用したデジタル放送を受信するデジタル放送受信装置において、
ＯＦＤＭ（Orthogonal Frequency Division Multiplex）方式における連結送信を行っている連結送信関係として関連づけされた複数のサービス（プログラム）、トランスポートストリーム及び／又はネットワークをブーケとしてグループ化し、そのブーケとしてグループ化された複数のサービス（プログラム）、トランスポートストリーム及び／又はネットワークを示す制御情報が含まれたトランスポートストリームを受信し、
上記制御情報に基づき、受信している当該サービス（プログラム）と上記連結送信関係として関連づけられた複数のサービス（プログラム）、トランスポートストリーム及び／又はネットワークを管理し、
管理している上記制御情報に基づき、受信するサービス（プログラム）、トランスポートストリーム又はネットワークを、他のサービス（プログラム）、トランスポートストリーム又はネットワークに切り換えを行うことを特徴とするデジタル放送受信装置。
【請求項７３】
ＭＰＥＧ−２Systemsのトランスポートストリームを放送信号として適用したデジタル放送を受信するデジタル放送受信装置において、
同一の放送を行っているサイマル放送関係として関連づけされた複数のサービス（プログラム）、トランスポートストリーム及び／又はネットワークをブーケとしてグループ化し、そのブーケとしてグループ化された複数のサービス（プログラム）、トランスポートストリーム及び／又はネットワークを示す制御情報が含まれたトランスポートストリームを受信し、
上記制御情報に基づき、受信している当該サービス（プログラム）と上記サイマル放送関係として関連づけられた複数のサービス（プログラム）、トランスポートストリーム及び／又はネットワークを管理し、
管理している上記制御情報に基づき、受信するサービス（プログラム）、トランスポートストリーム又はネットワークを、他のサービス（プログラム）、トランスポートストリーム又はネットワークに切り換えを行うことを特徴とするデジタル放送受信装置。
【請求項７４】
トランスポートストリームを直交周波数分割多重（ＯＦＤＭ：Orthogonal Frequency Division Multiplex）方式で変調したＯＦＤＭ信号を、複数の伝送チャネルから構成された放送ネットワークを介して送受信するデジタル放送送受信システムにおけるデジタル放送送信方法であって、
ＮＩＴ（Network Information Table）内に、連結送信されるセグメントが１セグメント形式であるか、３セグメント形式であるかを示すセグメントタイプ情報を記述する信号処理ステップと、
上記信号処理ステップにより上記セグメントタイプ情報が記述されたＮＩＴを含むトランスポートストリームをＯＦＤＭ信号として、複数の伝送チャネルに伝送するＯＦＤＭ信号を直交性を保った状態で周波数方向に多重化する連結送信が可能とされた複数の伝送チャネルから構成された上記放送ネットワークを介して送信する送信ステップと
を有するデジタル放送送信方法。
【請求項７５】
トランスポートストリームを直交周波数分割多重（ＯＦＤＭ：Orthogonal Frequency Division Multiplex）方式で変調したＯＦＤＭ信号を、複数の伝送チャネルから構成された放送ネットワークを介して送信するデジタル放送送信装置であって、
ＮＩＴ（Network Information Table）内に、連結送信されるセグメントが１セグメント形式であるか、３セグメント形式であるかを示すセグメントタイプ情報を記述する信号処理手段と、
上記信号処理手段により上記セグメントタイプ情報が記述されたＮＩＴを含むトランスポートストリームをＯＦＤＭ信号として、複数の伝送チャネルに伝送するＯＦＤＭ信号を直交性を保った状態で周波数方向に多重化する連結送信が可能とされた複数の伝送チャネルから構成された上記放送ネットワークを介して送信する送信手段と
を備えるデジタル放送送信装置。
【請求項７６】
トランスポートストリームを直交周波数分割多重（ＯＦＤＭ：Orthogonal Frequency Division Multiplex）方式で変調したＯＦＤＭ信号を、複数の伝送チャネルから構成された放送ネットワークを介して送受信するデジタル放送送受信システムにおけるデジタル放送受信装置であって、
連結送信されるセグメントが１セグメント形式であるか、３セグメント形式であるかを示すセグメントタイプ情報が記述されたＮＩＴ（Network Information Table）を含むトランスポートストリームがＯＦＤＭ方式で変調されたＯＦＤＭ信号として、複数の伝送チャネルに伝送するＯＦＤＭ信号を直交性を保った状態で周波数方向に多重化する連結送信が可能とされた複数の伝送チャネルから構成された放送ネットワークを介して送られてくる上記トランスポートストリームを受信する受信手段と、
上記受信手段による受信されるトランスポートストリームに含まれるＮＩＴに記述されたセグメントタイプ情報に応じて、上記受信手段により受信されたトランスポートストリームの復調処理を制御する制御手段と
を備えるデジタル放送受信装置。
【発明の詳細な説明】
【技術分野】
【０００１】
本発明は、ＭＰＥＧ−２Systemsに規定されたトランスポートストリームを放送信号として適用したデジタル放送送受信システム、並びに、この放送信号を受信するデジタル放送受信装置に関するものである。
【背景技術】
【０００２】
社団法人電波産業会（ＡＲＩＢ）で提案されている「デジタル放送に使用する番組配列情報  標準規格  ＡＲＩＢ  ＳＴＤ−Ｂ１０  １．３版」（平成１２年６月発行以下、単にARIB STD-B10と呼ぶ。）では、デジタル放送における番組配列情報の構成及び識別子の運用として、ブーケと呼ばれる概念を提案している。このブーケは、複数のサービス（プログラム）やトランスポートストリームの集合を示す概念であり、ネットワークの境界を越えて集合が組まれてもよいものである。
【０００３】
従来のＣＳデジタル放送、２０００年１２月開始予定のＢＳデジタル放送においては、複数のサービスをグループ化するというブーケの概念は現時点では必要とされておらず、運用上適用されていない。その要因としては、サービスエリアが日本全国であり、いわゆるＰＳＩ／ＳＩ（Program Specific Information/Service Information番組を選択や番組の情報を取得するための補助的な情報）が十分に送信されていることなどが挙げられる。また、ARIB STD-B10の付属「番組配列情報の運用方法に関するガイドライン」では、「ブーケ事業者」に関する記述がされているが、ＢＳデジタル放送では「事業者」という観点でサービスのグループ化を行うためにＢＩＴ（Bouquet Information Table）を適用している。
【０００４】
これに対して、現在規格化が進められている地上デジタル音声放送（ISDB-Tn:Intergrated Services Digital Broadcasting - Terrestorial narrow）では、サービスエリアが日本全国ではなく一定の地域ごとに分割されること、伝送レートが数百ｋｂｐｓと衛星放送に比べて非常に小さくＰＳＩ／ＳＩの情報量が十分に送信できないという状況がある。このような状況の中では、サービス（プログラム）やトランスポートストリームを有機的に関連付けて、番組選択をする際や番組情報を取得する際に、有効に活用することが必要となる。
【先行技術文献】
【特許文献】
【０００５】
【特許文献１】特表２００２−５３００２０号公報
【特許文献２】特表２００２−５２６９９１号公報
【非特許文献】
【０００６】
【非特許文献１】ETS 300 468 V1.3.1 (1998-02) Digital Video Broadcasting (DVB); Specification for service Infromation (SI) in DVB systems, European Telecommunications Standards Institute (ETSI),1998年2月
【発明の概要】
【発明が解決しようとする課題】
【０００７】
ところで、ARIB STD-B10では、ブーケに関する情報を定義するテーブルとして、ＢＡＴ（Bouquet Association Table）が規定されている。また、ARIB STD-B10では、ブーケに関連する情報を記述する記述子、或いは、ＢＡＴに用いられる記述子として、サービスリスト記述子、スタッフ記述子、ブーケ名記述子、国別受信可否記述子、リンク記述子、ＣＡ識別記述子が規定されている。
【０００８】
しかしながら、これらのテーブルや記述子だけでは、複数のサービス（プログラム）やトランスポートストリームの集合を簡潔に識別することが困難であり、これらの集合を有効に活用することが困難であった。
【０００９】
本発明は、このような実情を鑑みてなされたものであり、なんらかの関係で関連づけされた複数のサービス（プログラム）、トランスポートストリーム及び／又はネットワークの集合を提供するにあたり、その関連を簡潔に識別し、有効に活用することができるデジタル放送送受信システム、並びに、このデジタル放送システムにより放送される放送信号を受信するデジタル放送受信装置を提供することを目的とする。
【課題を解決するための手段】
【００１０】
本発明にかかるデジタル放送送受信システムは、ＭＰＥＧ−２Ｓｙｓｔｅｍｓに規定されたトランスポートストリームを放送信号として適用したデジタル放送送受信システムにおいて、関連づけされた複数のサービス（プログラム）、トランスポートストリーム及び／又はネットワークをブーケとしてグループ化し、その関連づけの内容をブーケ種別として識別することを特徴とする。
【００１１】
本発明にかかるデジタル放送送受信システムは、ＭＰＥＧ−２Systemsに規定されたトランスポートストリームを放送信号として適用したデジタル放送送受信システムにおいて、任意のサービスエリアから他のサービスエリアに移動した場合におけるサービスの代替関係として関連づけされた複数のサービス（プログラム）、トランスポートストリーム及び／又はネットワークを特定する情報を、上記トランスポートストリームに含めて送信することを特徴とする。
【００１２】
本発明にかかるデジタル放送送受信システムは、ＭＰＥＧ−２Systemsに規定されたトランスポートストリームを放送信号として適用したデジタル放送送受信システムにおいて、任意のサービスエリアから他のサービスエリアに移動した場合におけるサービスの代替関係として関連づけされた複数のサービス（プログラム）、トランスポートストリーム及び／又はネットワークを、ブーケとしてグループ化することを特徴とする。
【００１３】
本発明にかかるデジタル放送送受信システムは、ＭＰＥＧ−２Systemsに規定されたトランスポートストリームを放送信号として適用したデジタル放送送受信システムにおいて、放送信号の提供者が系列ネットを構成する系列局関係にあるとして関連づけされた複数のサービス（プログラム）、トランスポートストリーム及び／又はネットワークを、ブーケとしてグループ化することを特徴とする。
【００１４】
本発明にかかるデジタル放送送受信システムは、ＭＰＥＧ−２Systemsに規定されたトランスポートストリームを放送信号として適用したデジタル放送送受信システムにおいて、ＯＦＤＭ（Orthogonal Frequency Division Multiplex）方式における連結送信を行っている連結送信関係にあるとして関連づけされた複数のサービス（プログラム）、トランスポートストリーム及び／又はネットワークを、ブーケとしてグループ化することを特徴とする。
【００１５】
本発明にかかるデジタル放送送受信システムは、ＭＰＥＧ−２Systemsに規定されたトランスポートストリームを放送信号として適用したデジタル放送送受信システムにおいて、同一の放送を行っているサイマル放送関係にあるとして関連づけされた複数のサービス（プログラム）、トランスポートストリーム及び／又はネットワークを、ブーケとしてグループ化することを特徴とする。
【００１６】
本発明にかかるデジタル放送受信装置は、ＭＰＥＧ−２Systemsのトランスポートストリームを放送信号として適用したデジタル放送を受信するデジタル放送受信装置において、関連づけされた複数のサービス（プログラム）、トランスポートストリーム及び／又はネットワークをブーケとしてグループ化し、その関連づけの内容をブーケ種別として識別された制御情報が含まれたトランスポートストリーム受信し、上記制御情報に基づき、上記ブーケによりグループ化された複数のサービス（プログラム）、トランスポートストリーム及び／又はネットワークを、上記ブーケ種別毎に管理し、管理している上記制御情報に基づき、受信するサービス（プログラム）、トランスポートストリーム又はネットワークを、上記ブーケ種別により示された関連づけの内容に応じて切り換えを行うことを特徴とする。
【００１７】
本発明にかかるデジタル放送受信装置は、ＭＰＥＧ−２Systemsのトランスポートストリームを放送信号として適用したデジタル放送を受信するデジタル放送受信装置において、任意のサービスエリアから他のサービスエリアに移動した場合におけるサービスの代替関係として関連づけされた複数のサービス（プログラム）、トランスポートストリーム及び／又はネットワークを示す制御情報が含まれたトランスポートストリームを受信し、上記制御情報に基づき、受信している当該サービス（プログラム）と上記代替関係として関連づけられた複数のサービス（プログラム）、トランスポートストリーム及び／又はネットワークを管理し、管理している上記制御情報に基づき、受信するサービス（プログラム）、トランスポートストリーム又はネットワークを、他のサービス（プログラム）、トランスポートストリーム又はネットワークに切り換えを行うことを特徴とする。
【００１８】
本発明にかかるデジタル放送受信装置は、ＭＰＥＧ−２Systemsのトランスポートストリームを放送信号として適用したデジタル放送を受信するデジタル放送受信装置において、任意のサービスエリアから他のサービスエリアに移動した場合におけるサービスの代替関係として関連づけされた複数のサービス（プログラム）、トランスポートストリーム及び／又はネットワークをブーケとしてグループ化し、そのブーケとしてグループ化された複数のサービス（プログラム）、トランスポートストリーム及び／又はネットワークを示す制御情報が含まれたトランスポートストリームを受信し、上記制御情報に基づき、受信している当該サービス（プログラム）と上記代替関係として関連づけられた複数のサービス（プログラム）、トランスポートストリーム及び／又はネットワークを管理し、管理している上記制御情報に基づき、受信するサービス（プログラム）、トランスポートストリーム又はネットワークを、他のサービス（プログラム）、トランスポートストリーム又はネットワークに切り換えを行うことを特徴とする。
【００１９】
本発明にかかるデジタル放送受信装置は、ＭＰＥＧ−２Systemsのトランスポートストリームを放送信号として適用したデジタル放送を受信するデジタル放送受信装置において、放送信号の提供者が系列ネットを構成する系列局関係として関連づけされた複数のサービス（プログラム）、トランスポートストリーム及び／又はネットワークをブーケとしてグループ化し、そのブーケとしてグループ化された複数のサービス（プログラム）、トランスポートストリーム及び／又はネットワークを示す制御情報が含まれたトランスポートストリームを受信し、上記制御情報に基づき、受信している当該サービス（プログラム）と上記系列局関係として関連づけられた複数のサービス（プログラム）、トランスポートストリーム及び／又はネットワークを管理し、管理している上記制御情報に基づき、受信するサービス（プログラム）、トランスポートストリーム又はネットワークを、他のサービス（プログラム）、トランスポートストリーム又はネットワークに切り換えを行うことを特徴とする。
【００２０】
本発明にかかるデジタル放送受信装置は、ＭＰＥＧ−２Systemsのトランスポートストリームを放送信号として適用したデジタル放送を受信するデジタル放送受信装置において、ＯＦＤＭ（Orthogonal Frequency Division Multiplex）方式における連結送信を行っている連結送信関係として関連づけされた複数のサービス（プログラム）、トランスポートストリーム及び／又はネットワークをブーケとしてグループ化し、そのブーケとしてグループ化された複数のサービス（プログラム）、トランスポートストリーム及び／又はネットワークを示す制御情報が含まれたトランスポートストリームを受信し、上記制御情報に基づき、受信している当該サービス（プログラム）と上記連結送信関係として関連づけられた複数のサービス（プログラム）、トランスポートストリーム及び／又はネットワークを管理し、管理している上記制御情報に基づき、受信するサービス（プログラム）、トランスポートストリーム又はネットワークを、他のサービス（プログラム）、トランスポートストリーム又はネットワークに切り換えを行うことを特徴とする。
【００２１】
本発明にかかるデジタル放送受信装置は、ＭＰＥＧ−２Systemsのトランスポートストリームを放送信号として適用したデジタル放送を受信するデジタル放送受信装置において、同一の放送を行っているサイマル放送関係として関連づけされた複数のサービス（プログラム）、トランスポートストリーム及び／又はネットワークをブーケとしてグループ化し、そのブーケとしてグループ化された複数のサービス（プログラム）、トランスポートストリーム及び／又はネットワークを示す制御情報が含まれたトランスポートストリームを受信し、上記制御情報に基づき、受信している当該サービス（プログラム）と上記サイマル放送関係として関連づけられた複数のサービス（プログラム）、トランスポートストリーム及び／又はネットワークを管理し、管理している上記制御情報に基づき、受信するサービス（プログラム）、トランスポートストリーム又はネットワークを、他のサービス（プログラム）、トランスポートストリーム又はネットワークに切り換えを行うことを特徴とする。
【発明の効果】
【００２２】
本発明によれば、本発明のデジタル放送送受信システムによれば、なんらかの関係で関連づけされた複数のサービス（プログラム）及び／又はトランスポートストリームの集合を提供するにあたり、その関連を簡潔に識別し、有効に活用することができる。
【図面の簡単な説明】
【００２３】
【図１】本発明が適用されるデジタル放送システムについて説明をするための図である。
【図２】ＢＡＴのデータ構造を示す図である。
【図３】サービスリスト記述子のデータ構造を示す図である。
【図４】ブーケ名記述子のデータ構造を示す図である。
【図５】リンク記述子のデータ構造を示す図である。
【図６】拡張したリンク記述子のデータ構造を示す図である。
【図７】ブーケ種別記述子のデータ構造を示す図である。
【図８】ブーケ種別の一例を示す図である。
【図９】拡張したブーケ名記述子のデータ構造を示す図である。
【図１０】ブーケＩＤのビット構造を示す図である。
【図１１】上記デジタル放送システムで用いられる受信装置のブロック図である。
【図１２】地上分配システムリストを示す図である。
【図１３】サービスリストを示す図である。
【図１４】ブーケリストを示す図である。
【図１５】上記受信装置の外観構成を示す図である。
【図１６】サービスエリアの系列局についての情報を格納したメモリイメージを示す図である。
【図１７】サイマル放送記述子のデータ構造を示す図である。
【図１８】ＳＤＴのデータ構造を示す図である。
【図１９】ＥＩＴのデータ構造を示す図である。
【図２０】ＩＳＤＢ−Ｔｎで規定されたセグメント構造について説明する図である。
【図２１】連結送信記述子のデータ構造を示す図である。
【図２２】拡張した地上分配システム記述子のデータ構造を示す図である。
【図２３】上記地上分配システム記述子に記述されるデータ内容について説明する図である。
【図２４】ＮＩＴのデータ構造を示す図である。
【発明を実施するための形態】
【００２４】
以下、本発明の実施の形態のデジタル放送システムについて、図面を参照しながら詳細に説明する。本発明の実施の形態のデジタル放送システムは、図１に示すような地上波のデジタル放送システム１に対して適用される。このデジタル放送システムにおいて放送する内容としては、例えば、動画像と音声情報とが組み合わされて送信されるデジタルテレビジョン放送（以下、地上ＤＴＶ放送という。）、音声情報（影像情報も含めて放送される場合もある）が送信されるデジタル音声放送（以下、地上Ｄ音声放送という。）、コンピュータや各種の情報端末を介して利用するような各種データが送信されるデータ放送、或いは、テレビジョン放送や音声放送に各種データが組み合わされて送信されるマルチメディア放送に適用される。
【００２５】
なお、以下、本発明の実施の形態として、本発明を適用した地上デジタル放送について説明するが、本発明は、地上デジタル放送に限らず、例えばＢＳデジタル放送やＣＳデジタル放送等の衛星を用いたデジタル放送にも適用することができるものである。
【００２６】
デジタル放送システム１は、図１に示すように、複数の放送局１０，２０，３０からそれぞれデジタル方式で送信される地上波放送を、受信装置１００で受信するシステムである。
【００２７】
各放送局１０，２０，３０には、それぞれ送信装置が備えられており、この送信装置から送信される放送波がアンテナから送信される。各放送局１０，２０，３０から送信される放送波の到達距離には限界があるため、受信装置１００でそれぞれの放送波を受信可能な範囲を、それぞれサービスエリア１０ａ，２０ａ，３０ａとして示す。
【００２８】
各放送局１０，２０，３０から送信される地上波放送は、例えば、音声情報及び画像情報の圧縮多重化規格のひとつであるＭＰＥＧ−２Systems（ITU-T H.222.0,ISO/IEC 13818-1）を利用したデジタル多重化方式を採用して放送を行っている。
【００２９】
また、各放送局１０から送信される地上波放送の変調方式には、例えばＯＦＤＭ（Orthogonal Frequency Division Multiplexing）方式が採用される。
【００３０】
このようにＭＰＥＧ−２Systemsを利用したデジタル方式の地上波放送では、一般に、ニュースやドラマなどのように開始時刻・終了時刻が定められた各々の放送番組のことをイベント（event）と称し、複数のイベントが連続して編成されたプログラムのことをサービス（service）と称する。そして、複数のサービスが、トランスポートストリーム（Transport Stream）とされ、このトランスポートストリームが変調されて、放送波として送信される。
【００３１】
ここで、このデジタル放送システム１におけるサービスエリアの範囲について説明をする。
【００３２】
このデジタル放送システム１では、例えば都道府県といった行政区画を基本単位としてサービスエリアが設定される。また、さらに、関東、中京、近畿といった特別地域では、２県以上に跨る広域圏でもサービスエリアが設定される。都道府県単位及び広域圏をカバーするサービスエリアのことを、本発明では一般エリアと称する。また、さらに、例えば都道府県より小さな行政区画である例えば市町村といった行政区画を基本単位としてもサービスエリアが設けられる。この市町村単位で設けられたサービスエリアは、例えばアンテナ電力が所定の電力以下に規定されているコミュニティ放送局がカバーすることとなる。この市町村単位をカバーするサービスエリアのことを、本発明では小規模エリアと称する。
【００３３】
なお、ここでは、日本の行政区画を例にとってサービスエリアの範囲について説明したが、正確に県境や市境で正確にサービスエリアが区切られるものではないのはもちろんであり、また、サービスエリアの分割の方式は、特に行政区画を基本として区切るものでなくてもよい。また、一般エリアと小規模エリアとの区別は、単にサービスエリアの相対的な大きさの違いであるので、例えば複数の市を跨るサービスエリアに対しては、小規模エリアとして設定してもよいし、一般エリアとして設定してもよい。
【００３４】
また、デジタル放送システム１においては、異なるサービスエリアの放送局同士が互いに番組制作、編成、中継、放送の上で協力関係をつくり系列ネットを構築している場合がある。このような系列ネット局同士では、例えばある放送局で生成したトランスポートストリームを、他の放送局に中継することにより、各放送局がカバーするサービスエリアにおいて同一のイベントやサービス（プログラム）を放送している。
【００３５】
このように中継を行うに際して、各放送局は、異なる周波数チャンネルで放送波を送信するとしてもよいし、変調方式としてＯＦＤＭ方式を用いれば、同じ周波数チャンネルで放送波を送信してもよい。一般に、サービスエリアごとに異なる周波数で放送波を送信するよう構成されたネットワークは、ＭＦＮ（Multi-Frequency Network）と称されており、各サービスエリアで同一の周波数により放送波を送信するよう構成されたネットワークは、ＳＦＮ（Single Frequency Network）と称されている。
【００３６】
（ブーケによるグループ化）
つぎに、デジタル放送システム１において適用されるブーケについて説明をする。
【００３７】
ブーケとは、何らかの関係に基づき関連づけされた複数のサービス（プログラム）、トランスポートストリーム及び／又はネットワークの集合をいう。具体的には、複数のサービス（プログラム）の集合（グループ）、複数のトランスポートストリームの集合、或いは、１以上のサービス（プログラム）及び１以上のトランスポートストリームの集合、１以上のトランスポートストリームの集合及び１以上のネットワークの集合、１以上のネットワークの集合及び１以上のサービス（プログラム）の集合、１以上のサービス（プログラム）及び１以上のトランスポートストリーム及び１以上のネットワークの集合を示す概念である。その集合は、ネットワークの境界を越えて形成されてもよく、例えば、地上Ｄ音声放送と地上ＤＴＶ放送との間でブーケが形成されてもよいし、また、さらに、その集合の内容によっては、地上波放送と衛星放送との間でブーケが形成されてもよい。
【００３８】
このデジタル放送システム１がブーケによってグループ化されるサービス（プログラム）、トランスポートストリーム及びネットワークの関係としては、例えば、放送の代替関係、系列局関係、連結送信関係、同一放送事業者関係、同一サービスエリア関係、サイマル放送関係等がある。
【００３９】
以下、ブーケにより関連づけがされる関係の具体的な内容について説明をする。
【００４０】
放送の代替関係は、異なるサービスエリア間でのサービス（プログラム）同士の代替関係を示している。すなわち、あるサービスエリアから隣接する他のサービスエリアに移動する場合において、移動前のサービスエリアで受信していたサービス（プログラム）と代替される隣接サービスエリアのサービス（プログラム）との関係を示している。
【００４１】
例えば、自動車等で移動しながらあるサービス（プログラム）を視聴していたとする。この際、現在視聴しているサービス（プログラム）が配信されているサービスエリアを超えて自動車が移動してしまうと、すなわち、エリアを越境してしまうと、そのサービス（プログラム）を視聴することができなくなる。このようなとき、エリア越境前に視聴していたサービス（プログラム）と同様の内容のサービス（プログラム）を移動先のサービスエリアで継続して視聴したいとユーザが希望する場合がある。例えばジャイアンツ対タイガース戦のナイター中継を視聴していた場合、エリアを越境しても、やはりジャイアンツ対タイガース戦のナイター中継を視聴したいとユーザは希望する。
【００４２】
ところで、エリアを越境してしまうと、移動後のサービスエリアで配信されている番組ガイドやＥＰＧ等を検索して、同様のサービスを探しだし、周波数チャンネルやプログラム番号等を再設定する必要がある。しかしながら、このような設定はユーザにとっては非常に面倒である。
【００４３】
このためデジタル放送システム１では、ブーケにより関連づけを行う関係として放送の代替関係を規定し、サービスエリア間におけるサービス（プログラム）同士の代替関係を予めブーケによりグループ化してユーザに提供するようにしている。このような情報が提供されることにより、受信装置では、サービスエリアの切り換え時に、移動前に視聴していたサービス（プログラム）と代替されるサービス（プログラム）へ自動切り換えすることができたり、或いは、ブーケによりグループ化されているサービス（プログラム）のリストをモニタに表示することができ、再設定作業が簡単となる。
【００４４】
なお、サービス（プログラム）単位で放送の代替関係を示して説明をしたが、トランスポートストリーム同士、ネットワーク同士、サービス（プログラム）とトランスポートストリームとの間、トランスポートストリームとネットワークの間、及び、ネットワークとサービス（プログラム）との間、サービスとトランスポートストリームとネットワークとの間でグループ化して代替関係を規定してもよい。
【００４５】
系列局関係は、提供者が同一の系列ネットを構成する放送局から放送されるサービス（プログラム）同士の関係を示している。また、同一放送事業者関係は、放送信号の提供者が同一の事業者の放送局から放送されるサービス（プログラム）同士の関係を示している。
【００４６】
異なるサービスエリアの放送局同士が互いに番組制作、編成、中継、放送の上で協力関係をつくり系列ネットを構築している場合がある。系列ネットを構成する複数の放送事業者は、それぞれ同時刻に同一の番組を放送する場合が考えられる。しかしながら、特定の系列ネットから配信される特定のサービス（プログラム）を受信中に、現在視聴しているサービス（プログラム）が配信されているサービスエリアを超えて移動してしまうと、そのサービス（プログラム）を視聴することができなくなる。この場合、エリア越境前に受信していた系列ネットのサービス（プログラム）を継続して受信するためには、移動後のサービスエリアで配信されている番組ガイドやＥＰＧ等を検索して、同一の系列ネットを探しだし、周波数チャンネルやプログラム番号等を再設定する必要がある。このときに、視聴者が受信をやめてしまったり、別の放送事業者が提供する放送を受信するように変更してしまうと、放送局側としては損失が大きい。
【００４７】
このため、デジタル放送システム１では、ブーケにより関連づけを行う関係として系列局関係を規定し、系列ネットを構成する放送局から放送されるサービス（プログラム）を予めブーケによりグループ化してユーザに提供する。このような情報が提供されることにより、受信装置では、サービスエリアの切り換え時に、移動前に視聴していた放送局と系列ネットを構成する放送局へ自動切り換えをすることができたり、或いは、ブーケによりグループ化されている系列ネットをモニタに表示することができ、再設定作業が簡単となる。そのため、サービスエリアの越境時に視聴者が受信を辞めてしまったり、別の放送事業者が提供する放送を受信するように変更してしまうとう可能性が低くなる。
【００４８】
また、同一の放送事業者が異なるサービスエリアで放送を行っている場合にも、系列局関係と同様のことがいえる。
【００４９】
なお、サービス（プログラム）単位で系列局関係及び同一事業者関係を示して説明をしたが、トランスポートストリーム同士、ネットワーク同士、サービス（プログラム）とトランスポートストリームとの間、トランスポートストリームとネットワークの間、及び、ネットワークとサービス（プログラム）との間、サービスとトランスポートストリームとネットワークとの間でグループ化してグループ化して系列局関係を規定してもよい。
【００５０】
連結送信関係は、ＯＦＤＭ（Orthogonal Frequency Division Multiplex）方式における連結送信を行っているトランスポートストリーム同士の関係を示している。
【００５１】
地上波デジタル放送では、マルチパスによる受信妨害の影響を少なくするため、一般に放送波の変調方式としてＯＦＤＭ方式が採用されている。日本における地上波デジタル放送システムであるＩＳＤＢ−Ｔ（Intergrated Services Digital Broadcasting - Terrestorial）でも、やはりＯＦＤＭ方式が採用されている。このＯＦＤＭ方式では、送信時にはＩＦＦＴ（Inverse Fast Fourier Transform）、受信時にはＦＦＴ（Fast Fourier Transform）を行うことによって変調がされる。
【００５２】
このＩＳＤＢ−Ｔでは、複数の周波数チャネルに伝送されるＯＦＤＭ信号を周波数方向に多重化し、一括してＦＦＴ変換する、という連結送信が規定されている。この連結送信をすることにより、チャンネル間の混信を防止するためのガードバンドを設けずに複数の周波数チャンネルに対して情報を放送することができるので、周波数の利用効率を改善することができる。
【００５３】
また、受信側では、このような互いに連結送信がされた周波数チャンネル間でチャンネル切り替えを行う場合には、一括してＩＦＦＴが行われているため各種パラメータやタイミングがチャンネル間で同期が取られているので、復調器での同期動作をチャンネル間で連続的に行うことができる。そのため、連結送信で結合されたチャンネル間でのチャンネル切換を行う場合には、新たに同期の引き込み動作等を行わなくてもよく、チャンネル変更時間が短くなる。
【００５４】
このため、デジタル放送システム１では、ブーケにより関連づけを行う関係として連結送信関係を規定し、連結送信がされた周波数チャンネルに送信されているトランスポートストリームをブーケによりグループ化してユーザに提供する。このことにより、チャンネル切換を行う場合、切り換え先が連結送信をしているかどうかを参照することができ、もし連結送信内でのチャンネル変更等があった場合に、復調器での同期検出動作を連続的に行うことができ、チャンネル変更時間を短くすることができる。
【００５５】
サイマル放送関係は、同一の放送を行ういわゆるサイマル放送を行っているサービス（プログラム）同士の関係を示している。
【００５６】
例えば、地上Ｄ音声放送と衛星デジタル音声放送とが受信可能なカーステレオを搭載している車が、建物のかげに入り現在受信している地上Ｄ音声放送の受信が困難になったとする。このときに、同一の放送を行っているサイマル放送を受信しようとすると、ユーザは、衛星デジタル音声放送で放送されている番組ガイドやＥＰＧ等をあらためて検索して、受信装置の設定を行う必要がある。
【００５７】
このためデジタル放送システム１では、ブーケにより関連づけを行う関係としてサイマル放送関係を規定し、サイマル放送関係を予めブーケによりグループ化してユーザに提供する。このことにより、サイマル放送への切り換え時に、例えば自動切り換えをすることができたり、或いは、ブーケによりグループ化されているサービス（プログラム）をモニタに表示することができ、サイマル放送への再設定作業が簡単になる。
【００５８】
なお、サービス（プログラム）単位で放送のサイマル放送関係を示して説明をしたが、トランスポートストリーム同士、ネットワーク同士、サービス（プログラム）とトランスポートストリームとの間、トランスポートストリームとネットワークの間、及び、ネットワークとサービス（プログラム）との間、サービス（プログラム）とトランスポートストリームとネットワークとの間でグループ化して関連づけをしてサイマル放送関係を規定してもよい。
【００５９】
つぎに、ＭＰＥＧ２Systemsに規定されるトランスポートストリームへの具体的なブーケの記述方法について説明をする。
【００６０】
本実施の形態のデジタル放送システム１では、ＡＲＩＢ  ＳＴＤ−Ｂ１０により規定されているＢＡＴでブーケに関する情報を定義し、このＢＡＴをトランスポートストリームに含めて送信している。
【００６１】
また、ARIB STD-B10により規定されているサービスリスト記述子、スタッフ記述子、ブーケ名記述子、国別受信可否記述子、リンク記述子、ＣＡ識別記述子ブーケを用いて、ブーケに関連する情報を記述し、トランスポートストリームに含めて伝送している。
【００６２】
また、本発明では、以上のARIB STD-B10により規定された記述子に加え、さらに、ブーケ種別記述子を規定し、このブーケ種別記述子にブーケに関連する情報を記述して、トランスポートストリームに含めて伝送している。
【００６３】
以下、これらＢＡＴ並びに各記述子について説明をする。図２に、ARIB STD-B10で定義されているＢＡＴ（Bouquet Association Table）のデータ構造を示す。
【００６４】
[table_id]は、このネットワーク情報セクションが何を示すセクションであるかを示す。ここでは「０ｘ４Ａ」なる値が記述される。［section_syntax_indicator］は、セクションシンタクス指示を示す。その値は常に「１」とされる。［reserved_future_use］は、将来のなんらかの情報を規定できるようしたリザーブ拡張領域である。［reserved］は、リザーブ領域である。［section_length］は、セクション長フィールドの直後からＣＲＣ（Cyclic Redundancy Check）を含むセクションの最後までのセクションのバイト数を規定する。
【００６５】
［bouquet_id］は、ブーケを識別するためのＩＤである。このＩＤについては、その詳細を後述する。［version_number］は、サブテーブルのバージョン番号を示す識別子である。バージョン番号は、サブテーブル内の情報に変化があった場合に１加算される。その値が３１になった場合は、その次は０に戻る。［current_next_indicator］は、この値が「１」である場合に、サブテーブルが現在のサブテーブルであることを示し、「０」である場合に、送られるサブテーブルはまだ適用されず、次のサブテーブルを使用することを示す。
【００６６】
［section_number］は、セクションの番号を表す。サブテーブル中の最初のセクションである場合に「０ｘ００」なる値となる。このセクション番号は、同一の［table_id］と［bouquet_id］とを有するセクションの追加ごとに値が「１」ずつ加算される。
【００６７】
［last_section_number］は、そのセクションが属するサブテーブルの最後のセクション、すなわち最大のセクション番号を有するセクションの番号を示す。
【００６８】
［bouquet_descriptor_length］は、以下に続くブーケ記述子ループ（［for(i=0;<N;i++){descripter()}］のループのこと）の全バイト数を示す。
【００６９】
ブーケ記述子ループの記述子領域（“for(i=0;<N;i++){descripter()}”内の第１記述子領域［descripter()］には、ブーケ種別記述子［bouquet_type_descriptor］又はブーケ名記述子［bouquet_name_descriptor］が必ず記述され、また、スタッフ記述子［stuffing_descriptor］、国別受信可否記述子［country_availablity_descriptor］、リンク記述子［linkage_descriptor］、ＣＡ識別記述子［CA_identifer_descriptor］が必要に応じて記述される。
【００７０】
［transport_stream_loop_length］は、以下に続くトランスポートストリームループ（［“for(i=0;<N;i++{transport_stream_id〜descripter()}］のループこと）の全バイト数を示す。トランスポートストリームループでは、このＢＡＴによりグループ化される全てのトランスポートストリーム或いはサービス（プログラム）に関する情報が記述される。すなわち、このＢＡＴによりグループ化されるトランスポートストリームの数だけ、ループが回転している。
【００７１】
トランスポートストリームループ中の［transport_stream_id］は、このＢＡＴによりグループ化された各トランスポートストリームを特定するＩＤである。このＴＳ−ＩＤ［transport_stream_id］が記述されていることにより、ブーケによりグループ化されたトランスポートストリームへ受信チャンネルを切り換えることができる。すなわち、ＮＩＴ（Network Informationtable）内の地上分配システム記述子領域のＴＳ−ＩＤ［transport_stream_id］を参照して、そのトランスポートストリームが伝送されるサービスエリア（エリアコードにより識別できる）及び周波数チャネル等を認識することができる。
【００７２】
［original_network_id］は、そのトランスポートストリームの元のネットワークの［network_id］を示す。［reserved_future_use］は、将来のなんらかの情報を規定できるようしたリザーブ拡張領域である。［transport_descriptor_length］は、以下に続くトランスポート記述子ループ（for(i=0;<N;i++){descripter()}］のループのこと）の全バイト数を示す。
【００７３】
トランスポート記述子ループ（“for(i=0;<N;i++){descripter()｝”内の第２記述子領域［descripter()］には、以下に説明するサービスリスト記述子、スタッフ記述子［stuffing_descriptor］、が必要に応じて記述される。このサービスリスト記述子が記述されることにより、サービス（プログラム）単位でブーケをグループ化、トランスポートストリームとサービス（プログラム）とを混合してグループ化、サービス（プログラム）とネットワークとを混合してグループ化することができる。
【００７４】
そして、［CRC_32］は、ＣＲＣを示し、セクション全体を処理した後にレジスタ出力が「０」となるようなＣＲＣ値を含むエラーコードである。
【００７５】
図３に、サービスリスト記述子［service_list_descriptor()］のデータ構造を示す。サービスリスト記述子は、ブーケに属するサービスに対応するtransport_stream_id，network_id，service_id，service_typeを列挙することができる記述子である。［descriptor_tag］は、本記述子を他の識別子と識別するタグである。［descriptor_length］は、この直後に続くデータ部分の全バイト長を示す。［transport_descriptor_length］は、以下に続くループ（“for(i=0;<N;i++)〜}］”のループのこと）の全バイト数を示す。ループ内には、［service_id］、［service_type］が記述される。［service_id］は、トランスポートストリーム内に含まれているサービス（プログラム）をユニークに識別するＩＤである。
【００７６】
ここで、サービスＩＤのユニーク性に制限を必ず設ける必要はないが、サービスＩＤの総数がサービスＩＤのビット数で許容される場合には、サービスＩＤを例えば日本全国でユニークとすることによって混乱を避け、利便性が向上する。
【００７７】
［servece_type］は、ここで規定されているサービス（プログラム）のタイプ、例えば、音声放送、テレビジョン放送、データ放送といったタイプを示す。なお、このサービスリスト記述子には、transport_stream_id，network_idは直接は記述されないが、［service_list_descriptor()］がトランスポートストリームループ内に記述されるので、一義的に定めることができる。
【００７８】
図４に、ブーケ名記述子［bouquet_name_descriptor()］のデータ構造を示す。ブーケ名記述子［bouquet_name_descriptor()］は、テキスト形式でブーケ名を示す記述子である。［descriptor_tag］は、本記述子を他の識別子と識別するタグである。［descriptor_length］は、この直後に続くループのデータ部分の全バイト長を示す。ループ内には、［char］が記述される。［char］には、キャラクタコードが割り当てられる。
【００７９】
図５に、リンク記述子［linkage_descriptor］のデータ構造を示す。
【００８０】
リンク記述子［linkage_descriptor］は、ブーケ事業者に属したサービスへのリンクを与えることができる。
【００８１】
［descriptor_tag］は、本記述子を他の識別子と識別するタグである。［descriptor_length］は、この直後に続くデータ部分の全バイト長を示す。［transport_stream_id］は、リンク先として指示しているサービス（プログラム）が含まれているトランスポートストリームを示している。［original_network_id］は、リンク先として指示しているサービス（プログラム）が含まれているネットワークの元のネットワークを示している。
【００８２】
［service_id］は、リンク先として指示しているサービス（プログラム）を示している。
【００８３】
［linlage_type］は、リンク種別を示している。リンクの種別としては、そのブーケに関する情報を含むサービスを参照する（０ｘ０１）、ブーケに関するＥＰＧを参照する（０ｘ０２）、総括的な番組配列情報を運ぶトランスポートストリームを参照する（０ｘ０４）、が規定されている。［private_data_byte］には、任意のデータが記述可能となる。
【００８４】
また、図６に、拡張したリンク記述子［linkage_descriptor］のデータ構造を示す。
【００８５】
この拡張したリンク記述子［linkage_descriptor］は、ブーケ事業者に属したサービスへのリンクを与えることができるが、さらに、サービルループを設け、複数のサービス（プログラム）を列挙できるようになっている。
【００８６】
［descriptor_tag］は、本記述子を他の識別子と識別するタグである。［descriptor_length］は、この直後に続くデータ部分の全バイト長を示す。［linkage_type］は、リンクの種別を識別する。［private_data_length］は、以下に続くプライベートデータループの全バイト数を示している。ループ内の［praivate_data_byte］は、リンク種別名を記述することが可能である。
【００８７】
また、この拡張したリンク記述子には、以下のサービスループが設けられている。このため複数のリンク先を列挙することができる。サービスループ内の［transport_stream_id］は、リンク先として指示しているサービス（プログラム）が含まれているトランスポートストリームを示している。［original_network_id］は、リンク先として指示しているサービス（プログラム）が含まれているネットワークの元のネットワークを示している。［service_id］は、リンク先として指示しているサービス（プログラム）を示している。
【００８８】
［transport_stream_id］は、リンク先として指示しているサービス（プログラム）が含まれているトランスポートストリームを示している。［original_network_id］は、リンク先として指示しているサービス（プログラム）が含まれているネットワークの元のネットワークを示している。
【００８９】
［service_id］は、リンク先として指示しているサービス（プログラム）を示している。
【００９０】
［linlage_type］は、リンク種別を示している。リンクの種別としては、そのブーケに関する情報を含むサービスを参照する（０ｘ０１）、ブーケに関するＥＰＧを参照する（０ｘ０２）、総括的な番組配列情報を運ぶトランスポートストリームを参照する（０ｘ０４）、が規定されている。［private_data_byte］には、任意のデータが記述可能となる。
【００９１】
スタッフ記述子［ｓｔｕｆｆｉｎｇ＿ｄｅｓｃｒｉｐｔｏｒ］は、前に符号化された記述子を無効にしたり、テーブルのスタッフィングのためのダミー記述子の挿入に利用される記述子である。
【００９２】
国別受信可否記述子［country_availablity_descriptor］は、受信可能な、あるいは、不可能な国を列挙する記述子である。
【００９３】
ＣＡ識別記述子［CA_identifer_descriptor］は、あるサービスが一般的に限定受信で保護されている場合に、ＣＡシステムに関するデータを伝送することができる。
【００９４】
図７に、ブーケ種別記述子［bouquet_type_descriptor］のデータ構造を示す。このブーケ種別記述子［bouquet_type_descriptor］では、ブーケによりグループ化されたサービス（プログラム）並びにトランスポートストリームの関連づけの内容を識別する。［descriptor_tag］は、本記述子を他の識別子と識別するタグである。［descriptor_length］は、この直後に続くデータ部分の全バイト長を示す。［bouquet_type］は、関連づけの内容を特定するブーケ種別を示している。例えば、図８に示すように、「０ｘ００」は隣接代替関係、「０ｘ０１」は系列局関係、「０ｘ０２」は連結送信関係、「０ｘ０３」は同一事業者関係、「０ｘ０４」は同一サービスエリア関係、「０ｘ０５」はサイマル放送関係として、各ブーケ種別を識別する。
【００９５】
このようにブーケ識別記述子により、ブーケによりグループ化されたサービス（プログラム）並びにトランスポートストリームの関連づけの内容を識別する。そのため、複数のサービス（プログラム）や或いはトランスポートストリームの集合を、簡潔に識別することが可能となる。
【００９６】
なお、このブーケ種別識別子にブーケ種別を示す［bouquet_type］を記述せずに、上述したブーケ名記述子［bouquet_name_descriptor()］に［bouquet_type］を記述するようにしてもよい。
【００９７】
例えば、図９に示すように、ブーケ名記述子内のキャラクタが記述されるループに続き、ブーケ種別を示す［bouquet_type］を記述してもよい。
【００９８】
つぎに、上記ＢＡＴにより定義されるブーケＩＤ（bouquet_id）について説明をする。
【００９９】
ブーケＩＤは、上述したようにＢＡＴにより定義がされ、各ブーケをユニークに識別するＩＤである。
【０１００】
このブーケＩＤ（bouquet_id）は、このデジタル放送システム１がカバーする全領域、例えば日本に適用した場合には日本国内全域で定義されているブーケごとすべてユニークに割り当てられる。また、さらに、地上ＤＴＶ放送と、地上Ｄ音声放送とで互いにユニークに割り当てられる。つまり、地上ＤＴＶ放送で放送されているブーケと、地上Ｄ音声で放送されているブーケとで、同一のブーケＩＤ（bouquet_id）が割り当てられないようにする。さらにまた、複数の放送メディア間でブーケによりグループ化することも可能で、このメディアの組み合わせに対しても互いにユニークに割り当てられる。
【０１０１】
図１０にこのようなブーケＩＤ（bouquet_id）の具体的な構成例を示す。
【０１０２】
ブーケＩＤ（bouquet_id）は、全部で１６ビットのデータで構成される。
【０１０３】
全１６ビットのうち、放送メディアの識別をして、予備も含めて４ビット（図１０の先頭から１〜４ビット目）を割当てている。地上ＤＴＶ放送内のみでグループ化されるブーケであれば、例えば“０ｘ０１”、地上Ｄ音声放送内のみでグループ化されるブーケであれば、例えば“０ｘ０２”、地上ＤＴＶ放送及び地上Ｄ音声放送の両者を併せてグループ化されるブーケであれば、例えば“０ｘ０３”、で識別される。また、さらに、この放送メディアに、ＢＳデジタル音声放送、ＢＳデジタルＤＶ放送、ＣＳデジタル放送等の放送メディアを加えて識別してもよい。このようにメディア横断的にブーケＩＤを識別すれば、他の放送メディアで提供されているサービス（プログラム）等とブーケによりグループ化することができる。
【０１０４】
また、全１６ビットのうち、ブーケ種別の識別として、予備も含めて４ビット（図１０の先頭から５〜８ビット目）を割当てている。このブーケ種別は、例えば、図８に示した［bouquet_type］と同様に識別する。
【０１０５】
また、全１６ビットのうち、ブーケ種別内でユニークに各ブーケの識別をするために、ブーケの識別情報が、８ビット（図１０の先頭から９〜１６ビット目）を割当てている。これにより、各ブーケ種別毎に、２５６個のブーケがユニークに識別可能となる。
【０１０６】
このような割当てを行えば、日本国内ですべてのサービスに対してユニークにブーケＩＤ（bouquet_id）を割り当てることができ、さらに、地上ＤＴＶ放送と地上Ｄ音声放送とでブーケＩＤ（bouquet_id）のデータ構造を共通にでき、地上ＤＴＶ放送内と地上Ｄ音声放送内でのブーケの区別やメディア横断的に形成されたブーケも識別でき、各々のメディア内におけるブーケもユニークに区別できる。
【０１０７】
また、以上のようなブーケによるグループ化の階層の概念としては、デジタル放送メディア−デジタル地上波放送−ネットワークＩＤ−ＴＳＩＤ−サービスＩＤという階層になっていると考えられる。従って、
（１）ネットワークＩＤのレベルでの関連性
（２）ＴＳＩＤレベルでの関連性
（３）サービスＩＤのレベルでの関連性
というようにブーケによるグループ化にも階層化の概念を導入することができる。このような階層化の概念を実現するためには以下のようにＢＡＴに記述を行う。
【０１０８】
ネットワークＩＤのレベルでの関連性を記述する場合には、ＢＡＴのＴＳループにおいて、network_idを目的の値に設定し、transport_stream_idをnetwork_idのデフォルトＴＳの値とする。このとき、サービスリスト記述子は記述しないか、或いは、transport_stream_idのデフォルトのservice_idをサービスリスト記述子で指定する。
【０１０９】
ＴＳＩＤレベルでの関連性を記述する場合には、ＢＡＴのＴＳループにおいて、network_id、transport_stream_idを目的の値に設定する。このとき、サービスリスト記述子は記述しないか、或いは、transport_stream_idのデフォルトのservice_idをサービスリスト記述子で指定する。
【０１１０】
サービスＩＤのレベルでの関連性を記述する場合には、ＢＡＴのＴＳループにおいて、network_id、transport_stream_idを目的の値に設定する。さらに、サービスリスト記述子でサービスを指定する。
【０１１１】
（受信機の構成）
つぎに、送信された地上波放送を受信する受信装置１００について説明する。
【０１１２】
受信装置１００は、図１１に示すように、送信装置５０によって送信される地上波放送の放送波を受信する受信アンテナ１２０から放送信号が入力されて、この放送信号に対してデジタル復調処置を施す復調部１０１と、復調部１０１によってデジタル復調処置が施された信号に対して復号化処理を施してトランスポートストリームを取り出す復号化部１０２と、復号化部１０２により取り出されたトランスポートストリームに多重化されているデジタルデータを抽出して、このデジタルデータの内容に応じた出力を行う抽出部１０３と、抽出部１０３によって抽出されたデジタルデータがそれぞれ入力されて、それぞれオーディオ信号、ビデオ信号、データ信号を生成するオーディオデコーダ１０４、ビデオデコーダ１０５、及びデータデコーダ１０６と、ＧＰＳ（Global Positioning System）により送出される信号に基づいて位置を検出するＧＰＳ受信部１０７と、トランスポートストリームに含まれるＰＳＩ／ＳＩ情報を保持するメモリ１０８と、当該受信装置１００の各部に対する制御を行うシステムコントローラ１０９と、ユーザからの操作入力がされる操作入力部１１１と、ユーザにデータ等の表示を行う表示部１１２とを備える。
【０１１３】
復調部１０１は、受信アンテナ１２０から入力された放送信号に対して、デジタル復調処理を施す。
【０１１４】
復号化部１０２は、復調部１０１でデジタル復調処理が施された信号に対して、デインターリーブ処理や誤り訂正処理などを行うことにより復号化し、トランスポートストリームを取り出す。
【０１１５】
抽出部１０３は、復号化部１０２から入力されたトランスポートストリーム中のＴＳパケットに記述されたＰＩＤ（パケット識別番号）に基づいて、各ＴＳパケットを抽出し、各々のＴＳパケットに含まれるデジタルデータが、オーディオ信号に属するものであるかビデオ信号に属するものであるかなどを判別して、各デジタルデータごとに、オーディオデコーダ１０４やビデオデコーダ１０５などに出力する。また、抽出部１０３は、トランスポートストリーム中に含まれるＮＩＴ、ＳＤＴ、ＢＡＴ等のＰＳＩ／ＳＩ情報を抽出して、このＰＳＩ／ＳＩ情報に含まれる各情報をシステムコントローラ１０９に出力する。
【０１１６】
オーディオデコーダ１０４、ビデオデコーダ１０５、及びデータデコーダ１０６は、それぞれ、抽出部１０３から入力されたデジタルデータに対して復号化処理を施すことにより、オーディオ信号、ビデオ信号、データ信号を生成する。
【０１１７】
なお、本発明においては、例えば、放送局から音声情報だけの音声放送を送信する場合には、受信装置１００におけるビデオデコーダ１０５やデータデコーダ１０６を不要とすることができる。
【０１１８】
ＧＰＳ受信部１０７は、ＧＰＳ（Global Positioning System）により送出される信号を受信し、この信号に基づいて受信装置１００の位置を検出する。受信装置１００は、ＧＰＳ受信部１０７を備えていることにより、当該受信装置１００の位置を知ることができる。
【０１１９】
なお、受信装置１００は、ＧＰＳ受信部１０７を備えることに限定されるものではなく、受信位置を検出するために他の手段を備えるとしてもよい。このような手段としては、例えば、所定の地上放送局から送出される基準信号を受信して、この基準信号に基づいて現在位置を検出するとしてもよい。また、例えば、各種情報を操作入力可能な入力部を備え、この入力部から入力された現在位置の郵便番号、市外局番、都道府県名、サービスエリア名などに基づいて現在位置を判断するとしてもよい。
【０１２０】
メモリ１０８は、書き換え可能な各種半導体メモリにより構成することができ、例えば、受信装置１００に対して着脱自在とされていてもよい。
【０１２１】
システムコントローラ１０９は、受信装置１００の各部と各種信号のやりとりをすることによって、各部の動作を制御する。また、抽出部１０３から入力されたＮＩＴ、ＳＤＴ、ＢＡＴ等のＰＳＩ／ＳＩ情報に含まれる情報を抽出し、メモリ１０８に保持する。
【０１２２】
操作入力部１１１は、受信開始命令、サービスの切り替え命令、サービス番号の設定等、本受信装置に対する各種操作がユーザによりされるものである。
【０１２３】
表示部１１２は、例えば液晶表示装置等からなり、サービス番号の表示、サービス名、付加情報等のユーザに対してデータ等の表示を行う。
【０１２４】
つぎに、メモリ１０８上に構築されるデータベースについて説明をする。
【０１２５】
メモリ１０８上には、地上分配システムリスト、サービスリスト、さらに、各ブーケ種別毎のブーケリストがデータベースとして構築される。
【０１２６】
受信装置１００のシステムコントローラ１０９は、抽出部１０３から入力されたＮＩＴ、ＳＤＴに基づき、図１２及び図１３に示すような地上分配システムリスト及びサービスリストを構築する。ＮＩＴには、地上分配システム記述子、サービスリスト記述子が記述されており、これらを参照することにより、このような地上分配システムリスト及びサービスリストを構築することができる。この地上分配システムリスト及びサービスリストには、ＮＩＴで伝送されるＰＳＩに含まれる全てのサービスエリアで送信されているトランスポートストリームに関する情報が、各々のトランスポートストリームを識別する情報である「transport_stream_id」に基づいてテーブル化されている。ただし、受信装置のメモリ量の削減のため、必ずしも全ての情報を常に記憶保持しておく必要はない。
【０１２７】
例えば、「transport_stream_id」が「ＴＳ１」であるトランスポートストリームを受信するために必要となる「周波数」、「モード」、「ガードインターバル」、「エリアコード」といった情報は、この「transport_stream_id」に基づいて地上分配システムリストを参照することによって、それぞれ「×××ＭＨｚ」、「１０」、「１１」、「１０１０１００１００１１」であると分かり、同様にして、「transport_stream_id」が「ＴＳ１」であるトランスポートストリームに含まれるサービス（プログラム）を特定するために必要となる「サービスＩＤ」や「サービスタイプ」などの情報は、サービスリストを参照することによって、それぞれ「サービス２」、「音声放送」であると分かる。
【０１２８】
従って、受信装置１００は、地上分配システムリスト及びサービスリストを参照することによって、受信中のサービス（プログラム）から、他のサービス（プログラム）に受信を切り替えることが可能となる。
【０１２９】
なお、このサービスリスト及び地上分配システムリスト等の所定のサービス（プログラム）を受信するために必要となる物理的な条件やサービスの情報のリストを、以下、単にアクセスリストという。
【０１３０】
また、受信装置１００のシステムコントローラ１０９は、図１４に示すように、現在受信しているサービス（プログラム）が含まれるトランスポートストリームからＢＡＴを抽出し、各ＢＡＴに記述された「サービスＩＤ」及び「ＴＳ−ｉｄ」並びに必要に応じて「ネットワークＩＤ」をリスト化したブーケリストを構築する。このブーケリストは、ブーケ種別毎にリストを構築される。例えば、代替関係ブーケリスト、サイマル放送ブーケリストといったように、ブーケ種別が識別できるようにリストを構築する。
【０１３１】
このようにブーケリストを構築することにより、現在受信しているサービス（プログラム）から、ブーケにより関連づけられた他のサービス（プログラム）やトランスポートストリームを認識することができ、例えば、ブーケ関係にあるサービスを切り換える場合には、これらのリストを参照することにより、早急に切り換えを行うことができる。
【０１３２】
例えば、サービスエリアを越えたため、隣接サービスエリアの代替関係にあるサービスを受信する場合には、ブーケ種別が代替関係とされたブーケリストを参照し、サービスＩＤとＴＳ−ｉｄを抽出する。続いて、移動先のエリアコードが一致するトランスポートストリームをアクセスリストから検索し、そこから、周波数、モード、ガードインターバルを抽出して、受信を開始する。
【０１３３】
系列局、同一事業者関係、サイマル放送関係にあるサービスを受信する場合も、代替関係と同様に処理を行い、受信を開始する。
【０１３４】
また、連結送信関係については、次のように処理がされる。
【０１３５】
受信中のサービス（プログラム）から、他のサービス（プログラム）への受信切り換え操作がされると、システムコントローラ１０９は、まず、メモリ１０８上に構築されている連結送信関係のブーケリストを参照する。ここで、切り換え先のトランスポートストリームがブーケリストに示されていない場合には、通常の受信開始処理を行う。それに対して、切り換え先のトランスポートストリームがブーケリストに示されている場合には、復調時における同期動作を保持したまま、チャンネルの切換を行うようにする。
【０１３６】
なお、ブーケは、各サービス（プログラム）やトランスポートストリームに対して全てのブーケ種別が常に定義されているというわけではないので、ブーケが存在しないブーケ種別に対しては、ブーケリストを構築しなくてもよい。例えば、系列局が存在しない独立局から放送されたサービス（プログラム）であれば、系列局関係のブーケリストは構築せず、また、連結送信されていない場合には、連結送信関係のブーケリストは構築しない。
【０１３７】
また、サービス（プログラム）毎にブーケは異なっているため、サービス（プログラム）の切り換えがあった場合には、ブーケリストの更新処理を行うようにする。
【０１３８】
つぎに、図１５に受信装置１００の外観構成を示す。
【０１３９】
本受信装置１００は、操作入力部１１１を用いて、サービスエリア、送出マスター、サービスの階層で希望サービス（プログラム）を選択することができるとともに、サービス（プログラム）の番号を直接入力して希望サービス（プログラム）を選択できる。また、本受信装置１００は、サービスエリア移動時に、代替サービス、系列局を選択することができ、また、受信しているサービスが受信困難となったときにサイマル放送を選択することができる。
【０１４０】
また、本受信装置１００は、受信すべきサービス（プログラム）が不明である場合には受信可能なサービス（プログラム）をサーチする機能を有しており、サーチを指示するボタンによってサーチが実行される。
【０１４１】
表示部１１２は、エリア名、送出マスター名、サービス名、サービス付加情報の他、受信周波数やＥＰＧに必要な情報の表示を行う表示領域を有している。
【０１４２】
操作入力部１１１には、チャンネル（送出マスター）選択ボタン１２１と、サービス選択ボタン１２２と、エリア選択ボタン１２３と、機能ボタン１２４と、数値ボタン１２５と、代替放送選択ボタン１２６と、系列選択ボタン１２７と、サイマル放送選択ボタン１２８とが設けられている。
【０１４３】
チャンネル選択ボタン１２１は、現在選択されているサービスエリア内のチャンネル（送出マスター）を選択するために設けられている。
【０１４４】
サービス選択ボタン１２２は、現在選択されているチャンネル（送出マスター）内のサービス（プログラム）を選択するために設けられている。
【０１４５】
エリア選択ボタン１２３は、本受信装置１００が属するサービスエリアを選択するために設けられている。また、チャンネル選択ボタン１２３の個数の制限のため、同一サービスエリア内の選択ボタンの数で表示できないチャンネル群を切り替える用途でも使用する。
【０１４６】
機能ボタン１２４としては、Ｂボタン、Ｆボタン、Ｐボタン、Ｓボタンの各種機能ボタンがある。
【０１４７】
Ｂボタンは、地上ＤＴＶ放送バンドと地上Ｄ音声放送バンドとを切り替えるボタンである。
【０１４８】
Ｆボタンは、周波数を直接入力してチャンネル（送出マスター）を選択する場合に周波数入力の開始を指示するためのボタンである。
【０１４９】
Ｐボタンは、サービス（プログラム）を直接入力してサービス（プログラム）を選択する場合にサービス（プログラム）入力の開始を指示するためのボタンである。
【０１５０】
Ｓボタンは、受信可能な周波数をサーチする場合にサーチの開始を指示するためのボタンである。
【０１５１】
数値ボタン１２５は、数値入力を行うための数値入力ボタンである。
【０１５２】
代替放送選択ボタン１２６は、例えばサービスエリアを越えて移動したため受信中のサービスが受信困難となった場合に、移動先のサービスエリアで放送されている代替サービスを選択するためのボタンである。ユーザがこの代替放送ボタン１２６を押すと、システムコントローラ１０９がメモリ１０８上に構築されている代替関係のブーケリストを検索する。このブーケリストに移動先のサービスエリアに代替サービスがある場合には、サービスＩＤとＴＳ−ｉｄとネットワークＩＤとを抽出する。そして、このサービスＩＤとＴＳ−ｉｄとネットワークＩＤとに基づきさらにアクセスリストを検索し、そこから、周波数、モード、ガードインターバルを抽出して、受信を開始する。
【０１５３】
このように代替放送ボタン１２６を設けることによって、エリア越境時に、隣接サービスエリアで放送されている代替放送に容易に切り換えることができる。例えば、移動受信中に視聴しているジャイアンツ対タイガースのナイター中継が受信困難となった場合に、移動先で放送されているジャイアンツ対タイガースのナイター中継に容易に切り換えることができる。
【０１５４】
また、代替が複数存在する場合には、代替放送選択ボタン１２６を押すごとに次の代替に切り換えるようにしてもよいし、代替のリストを表示して数値ボタン１２５又はチャンネル選択ボタン１２１で選択するようにしてもよい。
【０１５５】
系列選択ボタン１２７は、例えば自動車によるサービスエリアを地理的に連続的に移動した場合や引っ越しや旅行時など地理的に非連続に移動した場合なども含め、サービスエリアを移動した場合に、その移動先において、予め設定された系列局或いは自分がよく視聴する系列局等なんらかの形で設定されている系列局を選択するためのボタンである。ユーザがこの系列選択ボタン１２７を押すと、システムコントローラ１０９がメモリ１０８上に構築されている系列局関係のブーケリストを検索する。このブーケリストに移動先のサービスエリアに系列局サービスがある場合には、サービスＩＤとＴＳ−ｉｄとネットワークＩＤとを抽出する。そして、このサービスＩＤとＴＳ−ｉｄとネットワークＩＤに基づきさらにアクセスリストを検索し、そこから、周波数、モード、ガードインターバルを抽出して、受信を開始する。
【０１５６】
このように系列選択ボタン１２７を設けることによって、日本全国どこのサービスエリアに移動しても、設定されている系列局の放送を容易に受信することができる。例えば、日本全国どこに移動しても、例えばＮＨＫの系列局は、番組ガイドやＥＰＧ等を参照せずとも、すぐにチャンネル設定がされて受信が開始できる。
【０１５７】
また、系列局が複数存在する場合には、系列選択ボタン１２７を押すごとに次の系列に切り換えるようにしてもよいし、系列のリストを表示して数値ボタン１２５又はチャンネル選択ボタン１２１で選択するようにしてもよい。
【０１５８】
サイマル放送ボタン１２８は、例えば建物のかげに入り現在受信しているサービス（プログラム）の受信が困難となったときに、同一の放送を行ってるサイマル放送を選択するためのボタンである。ユーザがこのサイマル放送ボタン１２８を押すと、システムコントローラ１０９がメモリ１０８上に構築されているサイマル放送関係のブーケリストを検索する。このブーケリストにサイマル放送がある場合には、サービスＩＤとＴＳ−ｉｄとネットワークＩＤとを抽出する。そして、このサービスＩＤとＴＳ−ｉｄとネットワークＩＤとに基づきさらにアクセスリスト（或いは、衛星放送にサイマル放送がある場合には衛星分配システムリスト等）を検索し、そこから、周波数、モード、ガードインターバルなどの受信条件を抽出して、受信を開始する。
【０１５９】
また、サイマル放送が複数存在する場合には、サイマル放送ボタン１２８を押すごとに次の系列に切り換えるようにしてもよいし、サイマル放送のリストを表示して数値ボタン１２５又はチャンネル選択ボタン１２１で選択するようにしてもよい。
【０１６０】
次に、特定のサービスを選択する処理手順を説明する。
【０１６１】
まず、エリアボタン１２３により受信装置１００が属するサービスエリアを選択する。選択されたサービスエリアに属するチャンネル群が表示部１２２に表示される。希望するチャンネルが表示されない場合にはさらにエリアボタン１２３により希望するチャンネルが表示されるまで試行する。
【０１６２】
表示部２に希望するチャンネル（送出マスター）が表示されたら、この表示に対応するチャンネル選択ボタン１２１により希望するチャンネルを選択する。希望するチャンネルが選択されると選択されたチャンネルに含まれる特定のサービスが提示される。ここで、提示とは音声の出力、画像の出力、データのデコードと表示あるいは音声出力、端子からの出力を意味する。また、特定のサービスとは、前回同じチャンネルが選択されたときに提示されていたサービス、或いは、当該チャンネルのＰＭＴで最初に配置されるサービス（プログラム）、あるいは、運用などで予め定められたサービス等を示す。
【０１６３】
チャンネル選択により希望するサービス（プログラム）が提示されていない場合は、サービス選択ボタン１２２により希望するサービスを選択する。このサービス選択ボタン１２２は、ＰＭＴに列挙されるサービス群の中で巡回的に正・逆方向にサービスの選択を行う。
【０１６４】
次に、直接受信周波数を入力するサービス選択処理手順について説明する。
【０１６５】
まず、Ｆボタンにより周波数入力開始の指示をし、数値ボタン１２５により直接周波数を指定する。指定された周波数でサービスが行われている場合、ＮＩＴに記述されたエリアコード（area_code）より受信装置１００が属するサービスエリアを特定する。それと同時に表示部１１２に特定したサービスエリア名、送出マスター名等を表示する。続いて、前項と同様にチャンネル内サービス（プログラム）の選択を行う。
【０１６６】
次に、直接サービス（プログラム）を入力するサービス選択処理手順について説明する。
【０１６７】
まず、Ｐボタンによりサービス入力開始の指示をし、数値ボタン１２５により直接サービス（プログラム）番号を指定する。サービス（プログラム）番号が受信装置１００内のメモリ１０８に構築されているデータベースに存在する場合は、そこから周波数を抽出してチャンネル選局を行うとともに、指定されたサービス（プログラム）番号が選択されるようにトランスポートストリームに対する処理を行う。このとき、表示部１１２にサービスエリア名、送出マスター名等を表示するが、表示するための情報は、受信装置１００内のメモリ１０８に構築されているデータベースから抽出してもよいし、新たに受信信号から抽出してもよい。
【０１６８】
なお、この受信装置１００の構成は、それぞれの段階における処理と装置のボタンの関係を簡潔に説明するために示したものであり、複数の機能を実現したいわゆるマルチファンクションボタンやマルチスクリーンを用いて構成しても差し支えない。
【０１６９】
つぎに、系列局に関する情報のデータベースの構成例を示す。
【０１７０】
メモリ１０８には、受信装置１００が現在位置するサービスエリアで配信されているサービス（プログラム）が受信できるように、当該サービスエリアで配信されているサービスが含まれるアクセスリストを記憶しておく。さらに、移動受信を考えた場合、理想的には、他のサービスエリアに対するアクセスリストが記憶されていることが望ましい。
【０１７１】
しかしながら、他のサービスエリアに対するアクセスリストをメモリ１０８上に記憶しておくと、記憶容量に無駄が生じる。
【０１７２】
従って、例えば図１６に示すように、受信装置１００が現在位置するサービスエリアで配信されているサービス（プログラム）に対するアクセスリスト、並びに、デフォルトとして登録してある系列局に対してはサービスエリアに対するアクセスリストをメモリ１０８上に記憶しておく。
【０１７３】
このように系列局に関するアクセスリストをメモリ１０８上に格納しておくことにより、サービスエリアの移動時に以下のように処理を行うことができる。
【０１７４】
例えば、受信装置１００は、移動前にはサービスエリア２に位置しており、系列局２の放送を受信していたとする。この場合、サービスエリア２で配信されているサービスに関するアクセスリストと、デフォルトの系列局（この場合系列局２）のサービスエリア（エリア１，２，３・・・）のアクセスリストがメモリ１０２に記憶されている。ここで、受信装置１００がサービスエリア２からサービスエリアＸにエリアを越えて移動したとする。この場合、移動前のサービスエリア２のアクセスリストはもう使用することができない。そこで、まず、サービスエリアＸのエリアコードを何らかの手段で入力し（例えばＧＰＳ等により自動入力をするようにしてもよい。）、アクセスリストからデフォルトに設定されている系列局２の情報（周波数チャンネル、ガードインターバル、ＴＳ−ｉｄ等）を取得し、その系列局２の受信を行う。さらに、デフォルトに設定されている系列局２の放送波から、系列局２の放送波でそのサービスエリアＸで放送されている他局の情報も送信されていれば、その移動先のサービスエリアＸで放送されている他局の情報も取得し、新たにサービスエリアＸで配信されるサービスに関するアクセスリストに更新する。
【０１７５】
このように所定の系列局に関してサービスエリアのアクセスリストを構築しておくことにより、最小限のメモリ容量でアクセスリストを構築することができ、さらに、移動後もすぐに移動先のサービスエリアで配信されているサービス（プログラム）に関する情報を取得することができるようになる。
【０１７６】
また、受信装置にこのような処理をさせることにより、放送するＮＩＴやＳＤＴ等のＰＳＩ／ＳＩを最低限の伝送量とすることができ、伝送効率を高くすることができる。また、各放送局が同じサービスエリアの多局に関する情報を送信することにより、いわゆるポータル局としての機能を有することができる。
【０１７７】
なお、デフォルトとして登録しておく系列局は、現在視聴している系列局でもよいし、受信装置１００の視聴者がよく利用する系列局であってもよいし、国営放送等のサービスエリアに亘って必ず配信がされている系列局でもよい。
【０１７８】
以上、ブーケにより複数のサービス（プログラム）やトランスポートストリームの集合を識別する例について説明したが、サイマル放送関係や連結送信関係については、つぎに示すようなサイマル放送記述子、連結送信記述子を新たに規定して、サービス（プログラム）やトランスポートストリームの集合を識別するようにしてもよい。
【０１７９】
以下、これらの記述子について説明をする。
【０１８０】
（サイマル放送記述子）
サイマル放送記述子［simul_broadcasting_descriptor(）］は、サイマル放送されるサービスを列挙することができる記述子である。このサイマル放送記述子［simul_broadcasting_descriptor()］は、後述するＮＩＴ（Network Information Table）、ＳＤＴ（Service Description Table）又はＥＩＴ（Event InformationTable）に記述され、これらのテーブルで定義されているサービス（プログラム）又はイベントに対するサイマル放送を指定することができる。
【０１８１】
図１７にサイマル放送記述子［simul_broadcasting_descriptor()］のデータ構造を示す。
【０１８２】
［descriptor_tag］は、本記述子を他の識別子と識別するタグである。［descriptor_length］は、この直後に続くデータ部分の全バイト長を示す。［transport_stream_id］は、サイマル放送が含まれているトランスポートストリームＩＤを識別するＩＤである。［original_network_id］は、サイマル放送が含まれているトランスポートストリームの元のネットワークのネットワークＩＤを示す。［service_id］は、サイマル放送となるサービス（プログラム）を識別するＩＤである。
【０１８３】
ＮＩＴに記述する場合、第１記述子ループ又は第２記述子ループに記述する。
【０１８４】
第１記述子ループに記述する場合、２つ以上のネットワークで全く同一の番組又は番組群を放送している場合に適用する。
【０１８５】
第２の記述子ループに記述する場合、２つ以上のトランスポートストリームで全く同一の番組又は番組群を放送している場合に適用する。
【０１８６】
図１８にＳＤＴ（Service Description Table）のデータ構造を示す。
【０１８７】
ＳＤＴは、特定のトランスポートストリームに含まれるサービスを定義するテーブルである。
【０１８８】
［table_id］は、このサービス記述セクションが何を示すセクションであるかを示す、自ネットワークのＳＤＴである場合には「０ｘ４２」なる値が、他ネットワークのＳＤＴである場合には「０ｘ４６」なる値が記述される。［section_syntax_indicator］は、セクションシンタクス指示を示す。その値は常に「１」とされる。［section_length］は、セクション長フィールドの直後からＣＲＣ（Cyclic Redundancy Check）を含むセクションの最後までのセクションのバイト数を規定する。
【０１８９】
［reserved_future_use］は、将来のなんらかの情報を規定できるようしたリザーブ拡張領域である。［reserved］は、リザーブ領域である。［transport_stream_id］は、このＳＤＴで定義されるサービスが含まれているトランスポートストリームを識別するＩＤである。［version_number］は、サブテーブルのバージョン番号を示す。［current_next_indicator］は、この値が「１」である場合に、サブテーブルが現在のサブテーブルであることを示し、「０」である場合に、送られるサブテーブルはまだ適用されず、次のサブテーブルを使用することを示す。
【０１９０】
［section_number］は、セクションの番号を示す、サブテーブル中の最初のセクションである場合に「０ｘ００」なる値となる。このセクション番号は、同一の［table_id］と［transport_stream_id］と［network_id］とを有するセクションの追加ごとに値が「１」ずつ加算される。［last_section_number］は、サブテーブルの中の最後のセクションのセクション番号を示す。
【０１９１】
［original_network_id］は、元のネットワークの［network_id］を示す。サービスループ内において、［service_id］は、他のサービスから当該サービスを識別するためのＩＤである。［EIT_schedule_flag］は、この値が「１」である場合にはそのサービスのＥＩＴ（スケジュール）情報が現在のトランスポートストリーム内にあることを示し、「０」である場合にはそのサービスのＥＩＴ（スケジュール）情報が現在のトランスポートストリーム内に存在しないことを示す。
【０１９２】
［EIT_present_following_flag］は、この値が「１」である場合にはそのサービスのＥＩＴ（現在／次）情報が現在のトランスポートストリーム内にあることを示し、「０」である場合にはそのサービスのＥＩＴ（現在／次）情報が現在のトランスポートストリーム内に存在しないことを示す。［running_status］は、非実行中、数秒以内に開始、停止中、実行中等のそのサービスに対する状態を示す。
【０１９３】
［free_CA_mode］は、その値が「０」の場合はそのサービスがスクランブルされていないことを示し、その値が「１」の場合はそのサービスがＣＡシステムにより制御されていることを示す。［descriptor_length］は、以下に続く記述子（descripter()のこと）のループの全バイト数を示す。そして、この［descripter()］に、上述したサイマル放送記述子［simul_broadcasting_descriptor()］が記述され、サービスＩＤとサイマル放送の対応関係が確立される。
【０１９４】
図１９にＥＩＴ（Event Information Table）のデータ構造を示す。
【０１９５】
ＥＩＴは、各サービス内に含まれているイベントに関する時系列情報を示すテーブルである。
【０１９６】
［table_id］は、このサービス記述セクションが何を示すセクションであるかを示す。自トランスポートストリームの現在／次のイベント情報である場合には、「０ｘ４Ｅ」が記述される。他トランスポートストリームの現在／次のイベント情報である場合には、「０ｘ４Ｆ」が記述される。自トランスポートストリームのイベントのスケジュール情報である場合には、「０ｘ５０〜０ｘ５Ｆ」が記述される。他トランスポートストリームのイベントのスケジュール情報である場合には、「０ｘ６０〜０ｘ６Ｆ」が記述される。
【０１９７】
［section_syntax_indicator］は、セクションシンタクス指示を示す。その値は常に「１」とされる。［section_length］は、セクション長フィールドの直後からＣＲＣ（Cyclic Redundancy Check）を含むセクションの最後までのセクションのバイト数を規定する。［reserved_future_use］は、将来のなんらかの情報を規定できるようしたリザーブ拡張領域である。［reserved］は、リザーブ領域である。［service_id］は、このＥＩＴで記述されるイベントが含まれているサービスを識別するためのＩＤである。［version_number］は、サブテーブルのバージョン番号を示す。
【０１９８】
［current_next_indicator］は、この値が「１」である場合に、サブテーブルが現在のサブテーブルであることを示し、「０」である場合に、送られるサブテーブルはまだ適用されず、次のサブテーブルを使用することを示す。
【０１９９】
［section_number］は、セクションの番号を示す。サブテーブル中の最初のセクションである場合に「０ｘ００」なる値となる。このセクション番号は、同一の［table_id］と［transport_stream_id］と［network_id］とを有するセクションの追加ごとに値が「１」ずつ加算される。［last_section_number］は、サブテーブルの中の最後のセクションのセクション番号を示す。［transport_stream_id］は、このＥＩＴＤＴで定義されるイベントが含まれているトランスポートストリームを識別するＩＤである。
【０２００】
［original_network_id］は、元のネットワークの［network_id］を示す。［segment_last_section_number］は、サブテーブルのこのセグメントの最後のセクションの番号を規定する。
【０２０１】
［last_table_id］は、使用されているテーブルを識別するテーブルＩＤを示す。イベントループ内において、［event_id］は、他のイベントから当該イベントをユニークに識別するためのＩＤである。［start_time］は、イベントの開始時間を示す。［duration］は、イベントの継続時間を示す。［running_status］は、非実行中、数秒以内に開始、停止中、実行中等のそのサービスに対する状態を示す。［free_CA_mode］は、その値が「０」の場合はそのイベントがスクランブルされていないことを示し、その値が「１」の場合はそのイベントがＣＡシステムにより制御されていることを示す。［descriptor_length］は、以下に続く記述子（descripter()のこと）のループの全バイト数を示す。
【０２０２】
そして、［descripter()］に、上述したサイマル放送記述子［simul_broadcasting_descriptor()］が記述され、イベントＩＤとサイマル放送の対応関係が確立される。
【０２０３】
このようにサイマル放送記述子をＮＩＴやＳＤＴやＥＩＴ規定することにより、受信装置では、受信しているサービス（プログラム）、或いはイベントのサイマル放送のサービスリストを作成することができる。サイマル放送のサービスリストには、サイマル放送となるサービスを指定するサービスＩＤ［service_id］、そのサービスが含まれているトランスポートストリームＩＤ［transport_stream_id］、サイマル放送がされるネットワークのネットワークＩＤ［network_id］を含んで作成する。また、受信装置は、サイマル放送へのチャンネル切り換えを行う場合には、このサイマル放送のサービスリストに含まれない例えば周波数、モード、ガードインターバル等の情報を、他ＮＩＴから抽出する。
【０２０４】
（連結送信記述子）
日本において採用される地上デジタル音声放送方式であるISDB-Tnでは、変調方式にＯＦＤＭ方式を採用しており、図２０に示すように、ＭＰＥＧ−２Systemsで規定されるトランスポートパケット（ＴＳＰ）複数個から構成されるデータのグループ単位（以下、データセグメントと呼ぶ。）で送信データが構成される。さらに、このデータセグメントにパイロット信号（ＳＰ［Scattered Pilot］，ＣＰ［Continual Pilot］，ＴＭＣＣ［transmission and Multiplexing Configuration Control］，ＡＣ［Auxiliary Channel］）を付加したＯＦＤＭブロック（以下、ＯＦＤＭセグメントと呼ぶ。）を１又は３個周波数方向に組み合わせて送信する。１つのＯＦＤＭセグメントは、帯域幅が６／１４ＭＨｚとなる。１つのＯＦＤＭセグメントを送信する形式を１セグメント形式、３つのＯＦＤＭセグメントを送信する形式を３セグメント形式と呼ぶ。
【０２０５】
３セグメント形式では、周波数方向の中央部の１つのＯＦＤＭセグメントと、隣接する２つのＯＦＤＭセグメントで、伝送特性の異なる２つの階層を同時に伝送階層伝送が可能である。各階層は、階層毎にキャリア変調方式、内符号の符号化率、時間インタリーブ長等のパラメータを指定することが可能である。なお、中央部のＯＦＤＭセグメントについては、周波数インタリーブをセグメント内のみで行うこととし、１セグメント形式を受信する受信装置により部分受信が可能となっている。３セグメント形式の場合、中央部分をＡ階層といい、中央に隣接する２つのＯＦＤＭセグメントをＢ階層という。また、１セグメント形式は、Ａ階層のみである。
【０２０６】
また、このＯＦＤＭセグメントは、地上デジタルテレビジョン放送方式であるISDB-Twと相互運用が図られるように規定されている。ISDB-Twでは、１３個のＯＦＤＭセグメントで１チャンネルを構成しており、さらに階層が、Ａ、Ｂ、Ｃの３階層構成となっている。
【０２０７】
上述したようにISDB-Tnでは、階層構造が採用され、各階層毎にキャリア変調方式を指定することができる。
【０２０８】
ここで、そのセグメントが差動変調方式（DQPSK）で変調されているか或いは同期変調方式（QPSK，16QAM，64QAM）で変調されているかを示すセグメント形式識別、また、そのセグメントが１セグメント形式であるか３セグメント形式であるかを識別する形式識別フラグ等の復調時に必要となる各種伝送パラメータは、ＴＭＣＣ信号に含めて伝送される。
【０２０９】
このＴＭＣＣ信号は、各放送波毎に個別に送信されるので、実際の放送波を受信しなければ復元することができない。すなわち、実際にチャンネルを切り換えてその放送波を受信しなければ、そのチャンネルに含まれている伝送パラメータを復元することができない。もっとも、どのような伝送パラメータに対しても、固定的に定義されるＴＭＣＣキャリアが存在するため、予めセグメント形式識別や形式識別フラグ等の情報がなくとも原理的にはＴＭＣＣ信号の復元は可能である。しかしながら、劣悪な伝送路状態を想定した場合には復調動作が不安定になったり、ＴＭＣＣ信号の復元までに時間がかかる虞がある。
【０２１０】
また、ISDB-Tnでは、複数のチャンネルに伝送するＯＦＤＭ伝送信号を直交性を保った状態で周波数方向に多重化して送信するという、連結送信が規定されている。このような連結送信をすると、チャンネル間のガードバンドを設けなくてもよいため、周波数帯域の利用効率が高くなる。
【０２１１】
ここで、受信をしているセグメントが同期変調方式の場合、受信装置ではＳＰ信号を用いて伝送路の伝送特性を推定して波形等化処理を行うことができるが、各セグメント毎にＳＰ信号が挿入されているので、通常そのセグメント内のＳＰ信号のみを用いて波形等化処理が行われる。
【０２１２】
ところが、そのセグメントと、連結送信がされた上隣接セグメント（高周波側の隣接セグメント）或いは下隣接セグメント（低周波側の隣接セグメント）が存在する場合、当該セグメントを受信中に上下隣接のＳＰ信号を利用することができる。このように上隣接セグメント或いは下隣接セグメントのＳＰ信号を利用すると、伝送路特性を推定する際の補間特性がよくなり、より正確に伝送路特性を推定することができる。
【０２１３】
しかしながら、上隣接セグメントが存在するか或いは下隣接セグメントが存在するか、或いは、それらが同期変調方式か差動変調方式かという情報は、実際にそのセグメントの放送波を受信しなければ得ることはできない。
【０２１４】
また、受信側では、このような互いに連結送信がされたセグメント間でチャンネル切り替えを行う場合には、各種伝送パラメータや制御タイミングがセグメント間で同期が取られているので、再度復調のための同期の引き込み動作を簡略化でき、同期動作をチャンネル間で連続的に行うことができる。そのため、連結送信で結合されたチャンネル間でのチャンネル切換を行う場合には、チャンネル変更時間が短くなる。
【０２１５】
しかしながら、自分のセグメントと切り換え先のセグメントとが連結送信されているかどうかは、切り換え前にはわからない。
【０２１６】
そこで、本発明では、連結送信記述子を以下のように新たに規定し、さらに、ARIB STD-B10により規定されている地上分配システム記述子を以下のように拡張することとした。
【０２１７】
図２１に連結送信記述子［connected_transmission_descriptor()］のデータ構造を示す。
【０２１８】
連結送信記述子［connected_transmission_descriptor()］は、そのトランスポートストリームと連結送信がされるトランスポートストリームを列挙することができる記述子である。この連結送信記述子［connected_transmission_descriptor()］は、自ネットワークのＮＩＴのＴＳループ内に記述される。
【０２１９】
［descriptor_tag］は、本記述子を他の識別子と識別するタグである。［descriptor_length］は、以下に続くループ（［for(i=0;<N;i++){〜｝］のループのこと）の全バイト数を示す。ループ［for(i=0;<N;i++){〜}］内には、［original_network_id］及び［transport_stream_id］が記述される。［original_network_id］は、連結送信がされているトランスポートストリームの元のネットワークのネットワークＩＤを示す。［transport_stream_id］は、連結送信がされているトランスポートストリームＩＤを識別するＩＤである。
【０２２０】
図２２に拡張した地上分配システム記述子［terrestrial_delivery_system_descriptor()］のデータ構造を示す。
【０２２１】
地上分配システム記述子［terrestrial_delivery_system_descriptor()］は、地上伝送路の物理的条件を示す記述子である。この地上分配システム記述子は、ＮＩＴのＴＳループ内に記述される。
【０２２２】
［descriptor_tag］は、本記述子を他の識別子と識別するタグである。［descriptor_length］は、以下に続くデータの全バイト数を示す。［area_code］は、当該トランスポートストリームが送信されるサービスエリアを示す。この［area_code］は、図２３に示すように、１６ビットに拡張している。［guard_interval］は、当該トランスポートストリームのガードインターバルを示す。
【０２２３】
［transmission_mode］は、当該トランスポートストリームのモード情報を示す。
【０２２４】
［segment_type］は、１セグメント方式であるか、３セグメント方式であるかの形式識別をする１ビットの情報である。例えば、図２３に示すように、１セグメント方式であれば「０」が記述され、３セグメント方式であれば「１」が記述される。この［segment_type］は、ARIB STD B-10に規定されていない新たな情報である。
【０２２５】
［modulation_type_A］は、Ａ階層のセグメント形式が同期変調方式か、差動変調方式かを示す１ビットのセグメント形式識別情報である。例えば、図２３に示すようにＡ階層が同期変調方式であれば「０」が記述され、差動変調方式であれば「１」が記述される。この［modulation_type_A］は、ARIB STD B-10に規定されていない新たな情報である。
【０２２６】
［modulation_type_B］は、Ｂ階層のセグメント形式が同期変調方式か、差動変調方式かを示す１ビットのセグメント形式識別情報である。例えば、図２３に示すようにＢ階層が同期変調方式であれば「０」が記述され、差動変調方式であれば「１」が記述される。この［modulation_type_B］は、ARIB STD B-10に規定されていない新たな情報である。
【０２２７】
［modulation_type_C］は、Ｃ階層のセグメント形式が同期変調方式か、差動変調方式かを示す１ビットのセグメント形式識別情報である。例えば、図２３に示すようにＣ階層が同期変調方式であれば「０」が記述され、差動変調方式であれば「１」が記述される。この［modulation_type_C］は、ARIB STD B-10に規定されていない新たな情報である。
【０２２８】
［frequency］は、当該トランスポートストリームが送信される周波数を示す識別子である。
【０２２９】
図２４に、以上のような連結送信記述子及び拡張した地上分配システム記述子が記述されるＮＩＴのデータ構造を示す。
【０２３０】
このISDB-Tnシステムでは、上述したＣＳデジタル放送やＢＳデジタル放送と同様に、ＭＰＥＧ−２Systemsにおいて個別定義とされているＮＩＴを配信することが規定されている。すなわち、ISDB-Tnシステムを構築する上でも、やはりネットワークという概念を導入し、分配システム記述子によってネットワークに属するトランスポートストリームに関する周波数情報や伝送パラメータ等、放送信号そのものに関する情報を伝送するようになされている。
【０２３１】
ＮＩＴ（Network Information Table）は、ネットワークにより運ばれるトランスポートストリームの物理構成に関する情報、及び、ネットワーク自身の特性を示すテーブルである。ＮＩＴには、自己のネットワーク情報を示すＮＩＴ、他のネットワークの情報を示すＮＩＴがある。
【０２３２】
［table_id］は、このネットワーク情報セクションが何を示すセクションであるかを示す識別子であり、自ネットワークのＮＩＴである場合には「０ｘ４０」なる値が、他ネットワークのＮＩＴである場合には「０ｘ４１」なる値が記述される。上述した連結送信記述子は、自ネットワークに関するＮＩＴに含められることとなる。
【０２３３】
［section_syntax_indicator］は、セクションシンタクス指示を示す識別子であり、その値は常に「１」とされる。
【０２３４】
［reserved_future_use］は、将来のなんらかの情報を規定できるようしたリザーブ拡張領域である。［reserved］は、リザーブ領域である。［section_length］は、セクション長フィールドの直後からＣＲＣ（Cyclic Redundancy Check）を含むセクションの最後までのセクションのバイト数を規定する。［network_id］は、ＮＩＴが示すネットワークを識別するためのＩＤである。［version_number］は、サブテーブルのバージョン番号を示す。
【０２３５】
［current_next_indicator］は、この値が「１」である場合に、サブテーブルが現在のサブテーブルであることを示し、「０」である場合に、送られるサブテーブルはまだ適用されず、次のサブテーブルを使用することを示す識別子である。
【０２３６】
［section_number］は、セクションの番号を示す。サブテーブル中の最初のセクションである場合に「０ｘ００」なる値となる。このセクション番号は、同一の［table_id］と［network_id］とを有するセクションの追加ごとに値が「１」ずつ加算される。
【０２３７】
［last_section_number］は、そのセクションが属するサブテーブルの最後のセクション、すなわち最大のセクション番号を有するセクションの番号を示す。［network_descriptor_length］は、以下に続くネットワーク記述子（descripter()のこと）のループの全バイト数を示す。ループ内には、ネットワーク記述子descripter()が記述される。［transport_stream_loop_length］は、ＣＲＣの最初のバイトの直前に終わるトランスポートストリームループの全バイト数を示す。
【０２３８】
そして、以下ＴＳループが記述される。ＴＳループ内の［transport_stream_id］は、このトランスポートストリームを分配システム内の他の多重から識別するためのＩＤである。［original_network_id］は、元のネットワークの［network_id］を示すＩＤである。
【０２３９】
［transport_descriptor_length］は、以下に続くトランスポート記述子（descripter()のこと）のループの全バイト数を示す識別子である。このトランスポート記述子内に、連結送信記述子［connected_transmission_descriptor()］及び拡張した地上分配システム記述子［terrestrial_delivery_system_descriptor(）］が記述されることとなる。
【０２４０】
［CRC_32］は、ＣＲＣを示し、セクション全体を処理した後にレジスタ出力が「０」となるようなＣＲＣ値を含むエラーコードである。
【０２４１】
以上のようにＮＩＴに連結送信記述子及び拡張した地上分配システム記述子を記述することにより、受信装置側では、現在受信しているトランスポートストリームに、上隣接セグメントが存在するか或いは下隣接セグメントが存在するか、或いは、それらが同期変調方式か差動変調方式かという情報を得ることができる。
【０２４２】
また、チャンネル切り換えを行う場合、現在のセグメントと、切り換え先のセグメントとが連結送信されているかどうか知ることができる。
【符号の説明】
【０２４３】
１  デジタル放送システム、１０，２０，３０  放送局、１０ａ，２０ａ，３０ａ  サービスエリア、１００受信装置
【図１】
2011004433.tif 000003
【図２】
2011004433.tif 000004
【図３】
2011004433.tif 000005
【図４】
2011004433.tif 000006
【図５】
2011004433.tif 000007
【図６】
2011004433.tif 000008
【図７】
2011004433.tif 000009
【図８】
2011004433.tif 000010
【図９】
2011004433.tif 000011
【図１０】
2011004433.tif 000012
【図１１】
2011004433.tif 000013
【図１２】
2011004433.tif 000014
【図１３】
2011004433.tif 000015
【図１４】
2011004433.tif 000016
【図１５】
2011004433.tif 000017
【図１６】
2011004433.tif 000018
【図１７】
2011004433.tif 000019
【図１８】
2011004433.tif 000020
【図１９】
2011004433.tif 000021
【図２０】
2011004433.tif 000022
【図２１】
2011004433.tif 000023
【図２２】
2011004433.tif 000024
【図２３】
2011004433.tif 000025
【図２４】
2011004433.tif 000026
【手続補正書】
【提出日】平成22年11月2日(2010.11.2)
【手続補正１】
【補正対象書類名】特許請求の範囲
【補正対象項目名】全文
【補正方法】変更
【補正の内容】
【特許請求の範囲】
【請求項１】
トランスポートストリームを直交周波数分割多重（ＯＦＤＭ：Orthogonal Frequency Division Multiplex）方式で変調したＯＦＤＭ信号を、複数の伝送チャネルから構成された放送ネットワークを介して送受信するデジタル放送送受信システムにおけるデジタル放送送信方法であって、
上記放送ネットワークは、複数の伝送チャネルに伝送するＯＦＤＭ信号を直交性を保った状態で周波数方向に多重化する連結送信が可能とされ、
ＮＩＴ（Network Information Table）内に、連結送信されるセグメントが１セグメント形式であるか、３セグメント形式であるかを示すセグメントタイプ情報を記述する信号処理ステップと、
上記信号処理ステップにより上記セグメントタイプ情報が記述されたＮＩＴを含むトランスポートストリームを上記放送ネットワークを介して送信する送信ステップと
を有するデジタル放送送信方法。
【請求項２】
トランスポートストリームを直交周波数分割多重（ＯＦＤＭ：Orthogonal Frequency Division Multiplex）方式で変調したＯＦＤＭ信号を、複数の伝送チャネルから構成された放送ネットワークを介して送受信するデジタル放送送受信システムにおけるデジタル放送送信装置であって、
上記放送ネットワークは、複数の伝送チャネルに伝送するＯＦＤＭ信号を直交性を保った状態で周波数方向に多重化する連結送信が可能とされ、
ＮＩＴ（Network Information Table）内に、連結送信されるセグメントが１セグメント形式であるか、３セグメント形式であるかを示すセグメントタイプ情報を記述する信号処理手段と、
上記信号処理手段により上記セグメントタイプ情報が記述されたＮＩＴを含むトランスポートストリームを上記放送ネットワークを介して送信する送信手段と
を備えるデジタル放送送信装置。
【請求項３】
トランスポートストリームを直交周波数分割多重（ＯＦＤＭ：Orthogonal Frequency Division Multiplex）方式で変調したＯＦＤＭ信号を、複数の伝送チャネルから構成された放送ネットワークを介して送受信するデジタル放送送受信システムにおけるデジタル放送受信装置であって、
上記放送ネットワークは、複数の伝送チャネルに伝送するＯＦＤＭ信号を直交性を保った状態で周波数方向に多重化する連結送信が可能とされ、
連結送信されるセグメントが１セグメント形式であるか、３セグメント形式であるかを示すセグメントタイプ情報が記述されたＮＩＴ（Network Information Table）を含むトランスポートストリームが上記放送ネットワークを介して送られてくる上記トランスポートストリームを受信する受信手段と、
上記受信手段による受信されるトランスポートストリームに含まれるＮＩＴに記述されたセグメントタイプ情報に応じて、上記受信手段により受信されたトランスポートストリームの復調処理を制御する制御手段と
を備えるデジタル放送受信装置。
【手続補正３】
【補正対象書類名】明細書
【補正対象項目名】０００１
【補正方法】変更
【補正の内容】
【０００１】
本発明は、ＭＰＥＧ−２Systemsに規定されたトランスポートストリームを放送信号として適用したデジタル放送送受信システムにおけるデジタル放送送信方法、デジタル放送送信装置、並びに、この放送信号を受信するデジタル放送受信装置に関するものである。
【手続補正４】
【補正対象書類名】明細書
【補正対象項目名】０００９
【補正方法】変更
【補正の内容】
【０００９】
本発明は、このような実情を鑑みてなされたものであり、なんらかの関係で関連づけされた複数のサービス（プログラム）、トランスポートストリーム及び／又はネットワークの集合を提供するにあたり、その関連を簡潔に識別し、有効に活用することができるデジタル放送送信方法、デジタル放送送信装置、並びに、このデジタル放送送信装置により放送される放送信号を受信するデジタル放送受信装置を提供することを目的とする。
【手続補正５】
【補正対象書類名】明細書
【補正対象項目名】００１０
【補正方法】変更
【補正の内容】
【００１０】
本発明は、トランスポートストリームを直交周波数分割多重（ＯＦＤＭ：Orthogonal Frequency Division Multiplex）方式で変調したＯＦＤＭ信号を、複数の伝送チャネルから構成された放送ネットワークを介して送受信するデジタル放送送受信システムにおけるデジタル放送送信方法であって、上記放送ネットワークは、複数の伝送チャネルに伝送するＯＦＤＭ信号を直交性を保った状態で周波数方向に多重化する連結送信が可能とされ、ＮＩＴ（Network Information Table）内に、連結送信されるセグメントが１セグメント形式であるか、３セグメント形式であるかを示すセグメントタイプ情報を記述する信号処理ステップと、上記信号処理ステップにより上記セグメントタイプ情報が記述されたＮＩＴを含むトランスポートストリームを上記放送ネットワークを介して送信する送信ステップとを有することを特徴とする。
【手続補正６】
【補正対象書類名】明細書
【補正対象項目名】００１１
【補正方法】変更
【補正の内容】
【００１１】
また、本発明は、  トランスポートストリームを直交周波数分割多重（ＯＦＤＭ：Orthogonal Frequency Division Multiplex）方式で変調したＯＦＤＭ信号を、複数の伝送チャネルから構成された放送ネットワークを介して送受信するデジタル放送送受信システムにおけるデジタル放送送信装置であって、上記放送ネットワークは、複数の伝送チャネルに伝送するＯＦＤＭ信号を直交性を保った状態で周波数方向に多重化する連結送信が可能とされ、ＮＩＴ（Network Information Table）内に、連結送信されるセグメントが１セグメント形式であるか、３セグメント形式であるかを示すセグメントタイプ情報を記述する信号処理手段と、上記信号処理手段により上記セグメントタイプ情報が記述されたＮＩＴを含むトランスポートストリームを上記放送ネットワークを介して送信する送信手段とを備えることを特徴とする。
【手続補正７】
【補正対象書類名】明細書
【補正対象項目名】００１２
【補正方法】変更
【補正の内容】
【００１２】
さらに、本発明は、  トランスポートストリームを直交周波数分割多重（ＯＦＤＭ：Orthogonal Frequency Division Multiplex）方式で変調したＯＦＤＭ信号を、複数の伝送チャネルから構成された放送ネットワークを介して送受信するデジタル放送送受信システムにおけるデジタル放送受信装置であって、上記放送ネットワークは、複数の伝送チャネルに伝送するＯＦＤＭ信号を直交性を保った状態で周波数方向に多重化する連結送信が可能とされ、連結送信されるセグメントが１セグメント形式であるか、３セグメント形式であるかを示すセグメントタイプ情報が記述されたＮＩＴ（Network Information Table）を含むトランスポートストリームが上記放送ネットワークを介して送られてくる上記トランスポートストリームを受信する受信手段と、上記受信手段による受信されるトランスポートストリームに含まれるＮＩＴに記述されたセグメントタイプ情報に応じて、上記受信手段により受信されたトランスポートストリームの復調処理を制御する制御手段とを備えることを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
本発明によれば、トランスポートストリームを直交周波数分割多重（ＯＦＤＭ：Orthogonal Frequency Division Multiplex）方式で変調したＯＦＤＭ信号を、複数の伝送チャネルから構成された放送ネットワークを介して送受信するデジタル放送送受信システムにおいて、上記放送ネットワークは、複数の伝送チャネルに伝送するＯＦＤＭ信号を直交性を保った状態で周波数方向に多重化する連結送信が可能とされ、ＮＩＴ（Network Information Table）内に、連結送信されるセグメントが１セグメント形式であるか、３セグメント形式であるかを示すセグメントタイプ情報を記述し、上記セグメントタイプ情報が記述されたＮＩＴを含むトランスポートストリームを上記放送ネットワークを介して送信することにより、なんらかの関係で関連づけされた複数のサービス（プログラム）及び／又はトランスポートストリームの集合を提供するにあたり、その関連を簡潔に識別し、有効に活用することができる。